(57)【要約】      （修正有）【課題】ＭＴＣデバイスを用いたＰＵＣＣＨのための改善されたシステム、方法または装置を提供する。【解決手段】ＵＥ１１５などのワイヤレスデバイスは、送信時間間隔（ＴＴＩ）バンドリングパラメータで構成される。次いで、デバイスは、ＴＴＩバンドリングパラメータに基づいて（たとえば、基地局のサービングセルなどの別のワイヤレスノードからの暗黙的指示または明示的指示のいずれかを使用して）アップリンク（ＵＬ）制御チャネルのための１つまたは複数のリソースを識別し、識別されたリソースを使用してＵＬ制御チャネルを送信する。デバイスはまた、ＴＴＩバンドリングパラメータに基づいてダウンリンク制御情報（ＤＣＩ）フォーマットを識別する。たとえば、リソース割振り粒度レベルは、バンドリングパラメータに関連付けられ、ＤＣＩフィールドの長さは、リソース割振り粒度レベルに依存する。【選択図】図５
2020195156.tif 000002
【特許請求の範囲】
【請求項１】
ワイヤレスデバイスにおけるワイヤレス通信の方法であって、
アップリンク（ＵＬ）制御チャネルの送信時間間隔（ＴＴＩ）バンドリングパラメータを識別することと、
前記ＴＴＩバンドリングパラメータに少なくとも部分的に基づいて、前記ＵＬ制御チャネルのための１つまたは複数のリソースを識別することと
を備える方法。
【請求項２】
前記１つまたは複数のリソースを使用して前記ＵＬ制御チャネルを送信すること
をさらに備える、請求項１に記載の方法。
【請求項３】
前記１つまたは複数のリソースを使用して前記ＵＬ制御チャネルを受信すること
をさらに備える、請求項１に記載の方法。
【請求項４】
前記１つまたは複数のリソースを識別することが、
暗黙的リソース割振りに基づいて、前記１つまたは複数のリソースを識別すること
をさらに備える、請求項１に記載の方法。
【請求項５】
前記暗黙的リソース割振りが、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく、請求項４に記載の方法。
【請求項６】
リソースオフセットのセットとＴＴＩバンドリングパラメータのセットとの間の対応関係を決定することと、ここにおいて、前記ＴＴＩバンドリングパラメータのセットは、前記ＵＬ制御チャネルの前記ＴＴＩバンドリングパラメータを備える、
前記ＴＴＩバンドリングパラメータと前記対応関係とに少なくとも部分的に基づいて、前記リソースオフセットのセットからリソースオフセットを選択することと
をさらに備える、請求項１に記載の方法。
【請求項７】
前記ＴＴＩバンドリングパラメータに対応するリソースオフセットを示す構成を受信すること、ここにおいて、前記１つまたは複数のリソースを識別することは、前記リソースオフセットに基づく、
をさらに備える、請求項１に記載の方法。
【請求項８】
前記１つまたは複数のリソースを識別することが、
ワイヤレスノードから前記１つまたは複数のリソースの指示を受信すること
をさらに備える、請求項１に記載の方法。
【請求項９】
前記ＴＴＩバンドリングパラメータのための複数のリソースの構成を受信することと、
ダウンリンク（ＤＬ）制御チャネルにおいて指示を受信することと、
前記指示に基づいて、前記ＴＴＩバンドリングパラメータのための前記構成された複数のリソースから１つのリソースを識別することと
をさらに備える、請求項１に記載の方法。
【請求項１０】
ワイヤレスデバイスにおけるワイヤレス通信の方法であって、
アップリンク（ＵＬ）制御チャネルのＴＴＩバンドリングパラメータを識別することと、
前記ＴＴＩバンドリングパラメータに少なくとも部分的に基づいて、ダウンリンク制御情報（ＤＣＩ）フォーマットを識別することと
を備える方法。
【請求項１１】
前記ＤＣＩフォーマットに少なくとも部分的に基づいて、ＤＬ制御チャネルを受信すること
をさらに備える、請求項１０に記載の方法。
【請求項１２】
前記ＤＣＩフォーマットに少なくとも部分的に基づいて、ＤＬ制御チャネルを送信すること
をさらに備える、請求項１０に記載の方法。
【請求項１３】
前記ＴＴＩバンドリングパラメータは、リソース割振り粒度レベルに対応し、ここにおいて、前記ＤＣＩフォーマットは、前記リソース割振り粒度レベルに少なくとも部分的に基づく、請求項１０に記載の方法。
【請求項１４】
前記ＴＴＩバンドリングパラメータは、変調およびコーディング方式（ＭＣＳ）情報フィールドに対応し、ここにおいて、前記ＤＣＩフォーマットは、前記ＭＣＳ情報フィールドに少なくとも部分的に基づく、請求項１０に記載の方法。
【請求項１５】
第１のＴＴＩバンドリング長を決定することと、
前記第１のＴＴＩバンドリング長に基づいて、前記ＭＣＳ情報フィールドの第１の長さを決定することと、
第２のＴＴＩバンドリング長を決定することと、ここで、前記第２のＴＴＩバンドリング長は、前記第１のＴＴＩバンドリング長よりも大きい、
前記第２のＴＴＩバンドリング長に基づいて、前記ＭＣＳ情報フィールドの第２の長さを決定することと、ここで、前記ＭＣＳ情報フィールドの前記第２の長さは、前記ＭＣＳ情報フィールドの前記第１の長さよりも小さい、
をさらに備える、請求項１４に記載の方法。
【請求項１６】
ワイヤレスデバイスにおけるワイヤレス通信のための装置であって、
アップリンク（ＵＬ）制御チャネルの送信時間間隔（ＴＴＩ）バンドリングパラメータを識別するための手段と、
前記ＴＴＩバンドリングパラメータに少なくとも部分的に基づいて、前記ＵＬ制御チャネルのための１つまたは複数のリソースを識別するための手段と
を備える装置。
【請求項１７】
前記１つまたは複数のリソースを使用して前記ＵＬ制御チャネルを送信するための手段をさらに備える、請求項１６に記載の装置。
【請求項１８】
前記１つまたは複数のリソースを使用して前記ＵＬ制御チャネルを受信するための手段をさらに備える、請求項１６に記載の装置。
【請求項１９】
前記１つまたは複数のリソースを識別するための前記手段が、
暗黙的リソース割振りに基づいて、前記１つまたは複数のリソースを識別するための手段
をさらに備える、請求項１６に記載の装置。
【請求項２０】
前記暗黙的リソース割振りが、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく、請求項１９に記載の装置。
【請求項２１】
リソースオフセットのセットとＴＴＩバンドリングパラメータのセットとの間の対応関係を決定するための手段と、ここにおいて、前記ＴＴＩバンドリングパラメータのセットは、前記ＵＬ制御チャネルの前記ＴＴＩバンドリングパラメータを備える、
前記ＴＴＩバンドリングパラメータと前記対応関係とに少なくとも部分的に基づいて、前記リソースオフセットのセットからリソースオフセットを選択するための手段と
をさらに備える、請求項１６に記載の装置。
【請求項２２】
前記ＴＴＩバンドリングパラメータに対応するリソースオフセットを示す構成を受信するための手段、ここにおいて、前記１つまたは複数のリソースを識別することは、前記リソースオフセットに基づく、
をさらに備える、請求項１６に記載の装置。
【請求項２３】
前記１つまたは複数のリソースを識別するための前記手段が、
ワイヤレスノードから前記１つまたは複数のリソースの指示を受信するための手段
をさらに備える、請求項１６に記載の装置。
【請求項２４】
前記ＴＴＩバンドリングパラメータのための複数のリソースの構成を受信するための手段と、
ダウンリンク（ＤＬ）制御チャネルにおいて指示を受信するための手段と、
前記指示に基づいて、前記ＴＴＩバンドリングパラメータのための前記構成された複数のリソースから１つのリソースを識別するための手段と
をさらに備える、請求項１６に記載の装置。
【請求項２５】
ワイヤレスデバイスにおけるワイヤレス通信のための装置であって、
アップリンク（ＵＬ）制御チャネルのＴＴＩバンドリングパラメータを識別するための手段と、
前記ＴＴＩバンドリングパラメータに少なくとも部分的に基づいて、ダウンリンク制御情報（ＤＣＩ）フォーマットを識別するための手段と
を備える装置。
【請求項２６】
前記ＤＣＩフォーマットに少なくとも部分的に基づいて、ＤＬ制御チャネルを受信するための手段
をさらに備える、請求項２５に記載の装置。
【請求項２７】
前記ＤＣＩフォーマットに少なくとも部分的に基づいて、ＤＬ制御チャネルを送信するための手段
をさらに備える、請求項２５に記載の装置。
【請求項２８】
前記ＴＴＩバンドリングパラメータは、リソース割振り粒度レベルに対応し、ここにおいて、前記ＤＣＩフォーマットは、前記リソース割振り粒度レベルに少なくとも部分的に基づく、請求項２５に記載の装置。
【請求項２９】
前記ＴＴＩバンドリングパラメータは、変調およびコーディング方式（ＭＣＳ）情報フィールドに対応し、ここにおいて、前記ＤＣＩフォーマットは、前記ＭＣＳ情報フィールドに少なくとも部分的に基づく、請求項２５に記載の装置。
【請求項３０】
第１のＴＴＩバンドリング長を決定するための手段と、
前記第１のＴＴＩバンドリング長に基づいて、前記ＭＣＳ情報フィールドの第１の長さを決定するための手段と、
第２のＴＴＩバンドリング長を決定するための手段と、ここで、前記第２のＴＴＩバンドリング長は、前記第１のＴＴＩバンドリング長よりも大きい、
前記第２のＴＴＩバンドリング長に基づいて、前記ＭＣＳ情報フィールドの第２の長さを決定するための手段と、ここで、前記ＭＣＳ情報フィールドの前記第２の長さは、前記ＭＣＳ情報フィールドの前記第１の長さよりも小さい、
をさらに備える、請求項２９に記載の装置。
【発明の詳細な説明】
【技術分野】
【０００１】
相互参照
[0001]本特許出願は、各々が本出願の譲受人に譲渡された、２０１５年１０月２９日に出願された「ＰＵＣＣＨ  ｆｏｒ  ＭＴＣ  Ｄｅｖｉｃｅｓ」と題するＣｈｅｎらによる米国特許出願第１４／９２６，６３０号、および２０１４年１１月７日に出願された「ＰＵＣＣＨ  ｆｏｒ  ＭＴＣ  Ｄｅｖｉｃｅｓ」と題するＣｈｅｎらによる米国仮特許出願第６２／０７７，０６４号の優先権を主張する。
【０００２】
[0002]以下は、一般にワイヤレス通信に関し、より詳細には、マシンタイプ通信（ＭＴＣ）デバイスのための物理アップリンク制御チャネル（ＰＵＣＣＨ）に関する。
【背景技術】
【０００３】
[0003]ワイヤレス通信システムは、音声、ビデオ、パケットデータ、メッセージング、ブロードキャストなどの様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システム（たとえば、ロングタームエボリューション（ＬＴＥ（登録商標））システム）がある。
【０００４】
[0004]例として、ワイヤレス多元接続通信システムは、場合によってはユーザ機器（ＵＥ）として知られ得る、複数の通信デバイスのための通信を各々が同時にサポートする、いくつかの基地局を含み得る。基地局は、（たとえば、基地局からＵＥへの送信のために）ダウンリンクチャネル、および（たとえば、ＵＥから基地局への送信のために）アップリンクチャネル上で、通信デバイスと通信し得る。
【０００５】
[0005]場合によっては、異なるＵＥは、異なる送信時間間隔（ＴＴＩ）バンドリング（bundling）構成などの異なるワイヤレスリンク構成を有し得る。たとえば、いくつかのタイプのＵＥは、自動化された通信のために設計された得る。自動化されたワイヤレスデバイスは、マシンツーマシン（Ｍ２Ｍ）通信またはマシンタイプ通信（ＭＴＣ）、すなわち、人間の介入なしの通信を実装するものを含み得る。ＭＴＣデバイスおよび他のＵＥは、ＤＬ送信またはＵＬ送信ごとのいくつかのバンドルされたＴＴＩに関連付けられ得る、より高いレベルの反復またはより低い変調およびコーディング（ＭＣＳ）レートを含む、カバレージ拡張動作を実装し得る。場合によっては、異なるＴＴＩバンドリング構成は、ＵＬ制御送信の衝突をもたらし得る。
【発明の概要】
【０００６】
[0006]本開示は、一般にワイヤレス通信システムに関し、より詳細には、ＭＴＣデバイスを用いたＰＵＣＣＨのための改善されたシステム、方法、または装置に関し得る。ワイヤレスデバイスは、送信時間間隔（ＴＴＩ）バンドリングパラメータで構成され得る。次いで、デバイスは、ＴＴＩバンドリングパラメータに基づいて（たとえば、基地局のサービングセルなどの別のワイヤレスノードからの暗黙的（implicit）指示または明示的（explicit）指示のいずれかを使用して）アップリンク（ＵＬ）制御チャネルのための１つまたは複数のリソースを識別し、識別されたリソースを使用してＵＬ制御チャネルを送信し得る。デバイスはまた、ＴＴＩバンドリングパラメータに基づいてダウンリンク制御情報（ＤＣＩ）フォーマットを識別し得る。たとえば、リソース割振り粒度（granularity）レベルは、バンドリングパラメータに関連付けられ得、ＤＣＩフィールドの長さは、リソース割振り粒度レベルに依存し得る。
【０００７】
[0007]ワイヤレスデバイスにおけるワイヤレス通信の方法について説明する。方法は、ＵＬ制御チャネルのＴＴＩバンドリングパラメータを識別することと、ＴＴＩバンドリングパラメータに少なくとも部分的に基づいて、ＵＬ制御チャネルのための１つまたは複数のリソースを識別することとを含み得る。
【０００８】
[0008]ワイヤレスデバイスにおけるワイヤレス通信のための装置について説明する。装置は、ＵＬ制御チャネルのＴＴＩバンドリングパラメータを識別するための手段と、ＴＴＩバンドリングパラメータに少なくとも部分的に基づいて、ＵＬ制御チャネルのための１つまたは複数のリソースを識別するための手段とを含み得る。
【０００９】
[0009]ワイヤレスデバイスにおけるワイヤレス通信のためのさらなる装置について説明する。装置は、プロセッサと、プロセッサと電子通信しているメモリと、メモリに記憶された命令とを含み得、ここにおいて、命令は、ＵＬ制御チャネルのＴＴＩバンドリングパラメータを識別し、ＴＴＩバンドリングパラメータに少なくとも部分的に基づいて、ＵＬ制御チャネルのための１つまたは複数のリソースを識別するようにプロセッサによって実行可能である。
【００１０】
[0010]ワイヤレスデバイスにおけるワイヤレス通信のためのコードを記憶する非一時的コンピュータ可読媒体について説明する。コードは、ＵＬ制御チャネルのＴＴＩバンドリングパラメータを識別し、ＴＴＩバンドリングパラメータに少なくとも部分的に基づいて、ＵＬ制御チャネルのための１つまたは複数のリソースを識別するように実行可能な命令を含み得る。
【００１１】
[0011]上記で説明された方法、装置、または非一時的コンピュータ可読媒体のいくつかの例は、１つまたは複数のリソースを使用してＵＬ制御チャネルを送信するための特徴、手段、または命令をさらに含み得る。追加または代替として、いくつかの例は、１つまたは複数のリソースを使用してＵＬ制御チャネルを受信することを含み得る。
【００１２】
[0012]上記で説明された方法、装置、または非一時的コンピュータ可読媒体のいくつかの例では、１つまたは複数のリソースを識別することは、暗黙的リソース割振りに基づいて、１つまたは複数のリソースを識別することを備える。追加または代替として、いくつかの例では、暗黙的リソース割振りは、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく。
【００１３】
[0013]上記で説明された方法、装置、または非一時的コンピュータ可読媒体のいくつかの例では、１つまたは複数のリソースを識別することは、サービングセルのキャリア帯域幅の周波数範囲のセットとＴＴＩバンドリングパラメータのセットとの間の対応関係に少なくとも部分的に基づいて、１つまたは複数のリソースを識別することを備え、ここにおいて、ＴＴＩバンドリングパラメータのセットは、ＵＬ制御チャネルのＴＴＩバンドリングパラメータを備える。追加または代替として、いくつかの例は、リソースオフセットのセットとＴＴＩバンドリングパラメータのセットとの間の対応関係を決定することを含み得、ここにおいて、ＴＴＩバンドリングパラメータのセットは、ＵＬ制御チャネルのＴＴＩバンドリングパラメータを備える。
【００１４】
[0014]上記で説明された方法、装置、または非一時的コンピュータ可読媒体のいくつかの例では、１つまたは複数のリソースを識別することは、ＴＴＩバンドリングパラメータと対応関係とに少なくとも部分的に基づいて、リソースオフセットのセットからリソースオフセットを選択することを備える。追加または代替として、いくつかの例は、ＴＴＩバンドリングパラメータに対応するリソースオフセットを示す構成を受信することを含み得、ここにおいて、１つまたは複数のリソースを識別することは、リソースオフセットに基づく。
【００１５】
[0015]上記で説明された方法、装置、または非一時的コンピュータ可読媒体のいくつかの例では、１つまたは複数のリソースを識別することは、ワイヤレスノードから１つまたは複数のリソースの指示を受信することを備える。追加または代替として、いくつかの例は、ＴＴＩバンドリングパラメータのための複数のリソースの構成を受信することと、ＤＬ制御チャネルにおいて指示を受信することと、指示に基づいて、ＴＴＩバンドリングパラメータのための構成された複数のリソースから１つのリソースを識別することとを含み得る。
【００１６】
[0016]上記で説明された方法、装置、または非一時的コンピュータ可読媒体のいくつかの例では、１つまたは複数のリソースを識別することは、リソースブロック中の複数のサブフレームを介したバンドル送信のためのリソースホッピングパターンを識別することを備える。追加または代替として、いくつかの例では、ＴＴＩバンドリングパラメータは、ワイヤレスデバイスのカバレージ拡張設定に少なくとも部分的に基づく。
【００１７】
[0017]上記で説明された方法、装置、または非一時的コンピュータ可読媒体のいくつかの例では、ワイヤレスデバイスはＭＴＣデバイスである。
【００１８】
[0018]ワイヤレスデバイスにおけるワイヤレス通信の方法について説明する。方法は、ＵＬ制御チャネルのＴＴＩバンドリングパラメータを識別することと、ＴＴＩバンドリングパラメータに少なくとも部分的に基づいて、ＤＣＩフォーマットを識別することとを含み得る。
【００１９】
[0019]ワイヤレスデバイスにおけるワイヤレス通信のための装置について説明する。装置は、ＵＬ制御チャネルのＴＴＩバンドリングパラメータを識別するための手段と、ＴＴＩバンドリングパラメータに少なくとも部分的に基づいて、ＤＣＩフォーマットを識別するための手段とを含み得る。
【００２０】
[0020]ワイヤレスデバイスにおけるワイヤレス通信のためのさらなる装置について説明する。装置は、プロセッサと、プロセッサと電子通信しているメモリと、メモリに記憶された命令とを含み得、ここにおいて、命令は、ＵＬ制御チャネルのＴＴＩバンドリングパラメータを識別し、ＴＴＩバンドリングパラメータに少なくとも部分的に基づいて、ＤＣＩフォーマットを識別するようにプロセッサによって実行可能である。
【００２１】
[0021]ワイヤレスデバイスにおけるワイヤレス通信のためのコードを記憶する非一時的コンピュータ可読媒体について説明する。コードは、ＵＬ制御チャネルのＴＴＩバンドリングパラメータを識別し、ＴＴＩバンドリングパラメータに少なくとも部分的に基づいて、ＤＣＩフォーマットを識別するように実行可能な命令を含み得る。
【００２２】
[0022]上記で説明された方法、装置、または非一時的コンピュータ可読媒体のいくつかの例は、ＤＣＩフォーマットに少なくとも部分的に基づいて、ＤＬ制御チャネルを受信するための特徴、手段、または命令をさらに含み得る。追加または代替として、いくつかの例は、ＤＣＩフォーマットに少なくとも部分的に基づいて、ＤＬ制御チャネルを送信することを含み得る。
【００２３】
[0023]上記で説明された方法、装置、または非一時的コンピュータ可読媒体のいくつかの例では、ＴＴＩバンドリングパラメータは、リソース割振り粒度レベルに対応し、ここにおいて、ＤＣＩフォーマットは、リソース割振り粒度レベルに少なくとも部分的に基づく。追加または代替として、いくつかの例では、リソース割振り粒度レベルは、最小数の複数のリソースブロック（ＲＢ）に基づき、ここにおいて、ＵＬ制御チャネルのためのリソースのセットを示すＤＣＩフィールドは、リソース割振り粒度レベルに基づく数ビットを備える。
【００２４】
[0024]上記で説明された方法、装置、または非一時的コンピュータ可読媒体のいくつかの例では、リソース割振り粒度レベルは、１ＲＢという最小数に基づき、ここにおいて、ＵＬ制御チャネルのためのリソースのセットを示すＤＣＩフィールドは、リソース割振り粒度レベルに基づくいくつかのビットを備える。追加または代替として、いくつかの例では、ＴＴＩバンドリングパラメータは、ＭＣＳ情報フィールドに対応し、ここにおいて、ＤＣＩフォーマットは、ＭＣＳ情報フィールドに少なくとも部分的に基づく。
【００２５】
[0025]上記で説明された方法、装置、または非一時的コンピュータ可読媒体のいくつかの例は、第１のＴＴＩバンドリング長を決定することと、第１のＴＴＩバンドリング長に基づいてＭＣＳ情報フィールドの第１の長さを決定することと、第２のＴＴＩバンドリング長を決定することと、ここで、第２のＴＴＩバンドリング長は、第１のＴＴＩバンドリング長よりも大きい、第２のＴＴＩバンドリング長に基づいてＭＣＳ情報フィールドの第２の長さを決定することと、ここで、ＭＣＳ情報フィールドの第２の長さは、ＭＣＳ情報フィールドの第１の長さよりも小さい、を行うための特徴、手段、または命令をさらに含み得る。
【００２６】
[0026]上記では、以下の発明を実施するための形態がより良く理解され得るように、本開示による例の特徴および技術的利点をかなり広く概説した。以下で、追加の特徴および利点について説明する。開示される概念および具体例は、本開示の同じ目的を実施するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付の図に関して以下の説明を検討するとより良く理解されよう。図の各々は、例示および説明のみの目的で提供され、特許請求の範囲の限界を定めるものではない。
【００２７】
[0027]本開示の性質および利点のさらなる理解は、以下の図面を参照して実現され得る。添付の図では、同様の構成要素または特徴は、同じ参照ラベルを有し得る。さらに、同じタイプの様々な構成要素は、参照ラベルの後に、ダッシュと、同様の構成要素を区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００２８】
【図１】[0028]本開示の様々な態様による、マシンタイプ通信（ＭＴＣ）デバイスを用いた物理アップリンク制御チャネル（ＰＵＣＣＨ）のためのワイヤレス通信システムの一例を示す図。
【図２】[0029]本開示の様々な態様による、ＭＴＣデバイスを用いたＰＵＣＣＨのためのワイヤレス通信サブシステムの一例を示す図。
【図３】[0030]本開示の様々な態様による、ＭＴＣデバイスを用いたＰＵＣＣＨのためのリソースオフセット構成の一例を示す図。
【図４】[0031]本開示の様々な態様による、ＭＴＣデバイスを用いたＰＵＣＣＨのためのリソースブロック割振りの一例を示す図。
【図５】[0032]本開示の様々な態様による、ＭＴＣデバイスを用いたＰＵＣＣＨのためのプロセスフローの一例を示す図。
【図６】[0033]本開示の様々な態様による、ＭＴＣデバイスを用いたＰＵＣＣＨのために構成されたデバイスのブロック図。
【図７】[0034]本開示の様々な態様による、ＭＴＣデバイスを用いたＰＵＣＣＨのために構成されたデバイスのブロック図。
【図８】[0035]本開示の様々な態様による、ＭＴＣデバイスを用いたＰＵＣＣＨのために構成されたＰＵＣＣＨモジュールのブロック図。
【図９】[0036]本開示の様々な態様による、ＭＴＣデバイスを用いたＰＵＣＣＨのために構成されたデバイスを含むシステムのブロック図。
【図１０】[0037]本開示の様々な態様による、ＭＴＣデバイスを用いたＰＵＣＣＨのために構成された基地局を含むシステムのブロック図。
【図１１】[0038]本開示の様々な態様による、ＭＴＣデバイスを用いたＰＵＣＣＨのための方法を示すフローチャート。
【図１２】[0039]本開示の様々な態様による、ＭＴＣデバイスを用いたＰＵＣＣＨのための方法を示すフローチャート。
【図１３】[0040]本開示の様々な態様による、ＭＴＣデバイスを用いたＰＵＣＣＨのための方法を示すフローチャート。
【図１４】[0041]本開示の様々な態様による、ＭＴＣデバイスを用いたＰＵＣＣＨのための方法を示すフローチャート。
【図１５】[0042]本開示の様々な態様による、ＭＴＣデバイスを用いたＰＵＣＣＨのための方法を示すフローチャート。
【図１６】[0043]本開示の様々な態様による、ＭＴＣデバイスを用いたＰＵＣＣＨのための方法を示すフローチャート。
【発明を実施するための形態】
【００２９】
[0044]説明される特徴は、一般に、マシンタイプ通信（ＭＴＣ）デバイスを用いた物理アップリンク（ＵＬ）制御チャネル（ＰＵＣＣＨ）のための改善されたシステム、方法、または装置に関する。いくつかのワイヤレスシステムは、ＭＴＣ通信またはマシンツーマシン（Ｍ２Ｍ）通信などの自動化された通信を提供し得る。Ｍ２ＭまたはＭＴＣは、人間の介入なしで通信する技術を指すことがある。場合によっては、ＭＴＣデバイスは、制限された機能を有し得る。たとえば、あるＭＴＣデバイスはブロードバンド機能を有し得るが、他のＭＴＣデバイスはナローバンド通信に限定され得る。このナローバンド制限は、たとえば、ＭＴＣデバイスが基地局によってサービスされる全帯域幅を使用して制御チャネル情報を受信する能力に干渉し得る。ロングタームエボリューション（ＬＴＥ）などのいくつかのワイヤレス通信システムでは、制限された帯域幅機能を有するＭＴＣデバイス（または同様の機能を有する別のデバイス）は、カテゴリ０デバイスと呼ばれることがある。
【００３０】
[0045]場合によっては、ＭＴＣデバイスは、低減されたピークデータレートを有し得る（たとえば、最大トランスポートブロックサイズは、１０００ビットであり得る）。加えて、ＭＴＣデバイスは、ランク１送信と、受信するための１つのアンテナとを有し得る。これは、ＭＴＣデバイスを半二重通信に制限し得る（すなわち、デバイスは、同時に送信および受信することが可能ではないことがある）。ＭＴＣデバイスが半二重である場合、ＭＴＣデバイスは（たとえば、送信（Ｔｘ）から受信（Ｒｘ）への、または受信（Ｒｘ）から送信（Ｔｘ）への）緩やかな切替え時間を有し得る。たとえば、非ＭＴＣデバイスの公称切替え時間は２０μｓであり得るが、ＭＴＣデバイスの切替え時間は１ｍｓであり得る。ワイヤレスシステムにおけるＭＴＣ拡張（ｅＭＴＣ）は、ナローバンドＭＴＣデバイスがより広いシステム帯域幅動作（たとえば、１．４／３／５／１０／１５／２０ＭＨｚ）内で効率的に動作することを可能にし得る。たとえば、ＭＴＣデバイスは、１．４ＭＨｚ帯域幅（すなわち、６つのリソースブロック）をサポートし得る。場合によっては、そのようなＭＴＣデバイスのカバレージ拡張は、（たとえば、最大１５ｄＢの）電力ブースティングオブ（boosting of）によって達成され得る。
【００３１】
[0046]ＭＴＣデバイスは、トラフィックタイプと、ロケーションと、干渉とを含む様々な要因に基づいて、異なる程度のカバレージ拡張を受けることがある。たとえば、いくつかのＭＴＣデバイスは、カバレージ拡張をほとんどまたはまったく使用しなくても、そのアプリケーションおよび／または通信環境には十分であることを見出すことができる。しかしながら、同じカバレージエリア内の他のＭＴＣデバイスは、同じレベルのカバレージ拡張を不十分であると思うことがある。したがって、発展型ノードＢ（ｅＮＢ）などの基地局は、異なるＭＴＣデバイスのための異なるレベルのカバレージ拡張を提供し、扱うことができ、このことは、リソース管理問題をもたらし、システムに処理／スケジューリング負荷をかけることがある。
【００３２】
[0047]カバレージ拡張なしのＭＴＣデバイスの場合、ｅＮＢは暗黙的物理ＵＬ制御チャネル（ＰＵＣＣＨ）リソース割振りを使用し得る。しかしながら、リソースブロック（ＲＢ）よりも多くの制御チャネル要素（ＣＣＥ）がある場合があり、このことは、（たとえば、暗黙的リソース割振りが開始ＣＣＥに基づく場合）不必要に多数のＰＵＣＣＨリソースを作成することがある。したがって、リソース割振りは、ＰＤＣＣＨリソースではなく、物理ダウンリンク共有制御チャネル（ＰＤＳＣＨ）リソースに基づき得る（たとえば、ＰＤＳＣＨの開始ＲＢは、肯定応答／否定応答（ＡＣＫ／ＮＡＣＫ）フィードバックのためのＰＵＣＣＨリソースを導出するために使用され得る）。複数のアンテナ構成がサポートされない場合、ＭＴＣデバイスに対して最大６つの１−ＲＢ  ＰＤＳＣＨ割当て（すなわち、最大６つの暗黙的ＰＵＣＣＨリソース）があり得る。そのような場合、ＭＴＣデバイスは、スロットを介したＰＵＣＣＨのミラーホッピングを使用することができ、このことは、周波数ダイバーシティ利得を改善し得る。
【００３３】
[0048]カバレージ拡張ありのＭＴＣデバイスの場合、ＰＵＣＣＨリソース割振りは暗黙的または明示的に行われ得る。リソース割振りが暗黙的に行われる場合、ｅＮＢは異なるレベルのカバレージ拡張を有するＭＴＣデバイスに対してリソースを別個に割り振ることができる。たとえば、ｅＮＢは、ＭＴＣデバイスのカバレージに従って、異なるリソース開始オフセットを異なるＭＴＣデバイスに適用することができる（たとえば、カバレージ拡張なしのＭＴＣデバイスは、第１のＰＵＣＣＨリソース開始オフセットで構成され得、低いカバレージ拡張ありのＭＴＣデバイスは、第２のＰＵＣＣＨリソースオフセットで構成され得、中程度のカバレージ拡張ありのＭＴＣデバイスは、第３のＰＵＣＣＨリソースオフセットで構成され得、大きいカバレージ拡張ありのＭＴＣデバイスは、第４のＰＵＣＣＨリソースオフセットで構成され得る）。
【００３４】
[0049]暗黙的リソース割振りは、ＰＤＣＣＨリソースまたはＰＤＳＣＨリソース（たとえば、ＰＤＣＣＨバンドルにおける最初のもしくは最後のサブフレーム中のＰＤＣＣＨリソース、またはＰＤＳＣＨバンドルにおける最初のもしくは最後のサブフレーム中のＰＤＳＣＨリソース）に基づき得る。明示的リソース割振りの場合、ＭＴＣデバイスは、カバレージ拡張の下での送信のための明示的リソースで構成され得る。構成は、ＭＴＣデバイスの異なるカバレージ拡張レベルに従って、異なるＭＴＣデバイスに対して別個に行われ得る。構成はまた、ＭＴＣデバイスが２つ以上のカバレージ拡張レベルで構成される場合、単一のＭＴＣデバイスの異なるカバレージ拡張レベルに対して別個に行われ得る。所与のカバレージ拡張レベルのための明示的リソースの数は、１つまたは複数であり得る。２つ以上のリソースが構成される場合、制御チャネルは、どのリソースを使用すべきかをＭＴＣデバイスに示し得る。
【００３５】
[0050]以下の説明は例を与えるものであり、特許請求の範囲に記載される範囲、適用可能性、または例を限定するものではない。本開示の範囲から逸脱することなく、論じられる要素の機能および構成において変更が行われ得る。様々な例は、適宜、様々な手順または構成要素を省略、置換、または追加し得る。たとえば、説明される方法は、説明される順序とは異なる順序で実行されることがあり、様々なステップが追加され、省略され、または組み合わされることがある。また、いくつかの例に関して説明される特徴は、他の例において組み合わされることがある。
【００３６】
[0051]図１は、本開示の様々な態様による、ワイヤレス通信システム１００の一例を示す。ワイヤレス通信システム１００は、基地局１０５と、少なくとも１つのユーザ機器（ＵＥ）１１５と、コアネットワーク１３０とを含む。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホール（backhaul）リンク１３２（たとえば、Ｓ１など）を通じてコアネットワーク１３０とインターフェースする。基地局１０５は、ＵＥ１１５との通信のための無線構成およびスケジューリングを実行し得るか、または基地局コントローラ（図示せず）の制御下で動作し得る。様々な例では、基地局１０５は、ワイヤードまたはワイヤレス通信リンクであり得るバックホールリンク１３４（たとえば、Ｘ１など）を介して互いと直接または間接的に（たとえば、コアネットワーク１３０を通じて）通信し得る。
【００３７】
[0052]基地局１０５は、１つまたは複数の基地局アンテナを介してＵＥ１１５とワイヤレス通信し得る。基地局１０５の各々は、それぞれの地理的カバレージエリア１１０に通信カバレージを提供し得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または何らかの他の適切な用語で呼ばれることがある。基地局１０５のための地理的カバレージエリア１１０は、カバレージエリアの一部分のみを構成するセクタに分割され得る（図示せず）。ワイヤレス通信システム１００は、異なるタイプの基地局１０５（たとえば、マクロセル基地局またはスモールセル基地局）を含み得る。異なる技術のための重複する地理的カバレージエリア１１０があり得る
[0053]いくつかの例では、ワイヤレス通信システム１００は、ロングタームエボリューション（ＬＴＥ）／ＬＴＥアドバンスト（ＬＴＥ−Ａ）ネットワークである。ＬＴＥ／ＬＴＥ−Ａネットワークでは、発展型ノードＢ（ｅＮＢ）という用語は、概して、基地局１０５を表すために使用され得、ＵＥという用語は、概して、ＵＥ１１５を表すために使用され得る。ワイヤレス通信システム１００は、異なるタイプのｅＮＢが様々な地理的領域にカバレージを提供する、異種ＬＴＥ／ＬＴＥ−Ａネットワークであり得る。たとえば、各ｅＮＢまたは基地局１０５は、マクロセル、スモールセル、または他のタイプのセルに通信カバレージを提供し得る。「セル」という用語は、コンテキストに応じて、基地局、基地局に関連付けられたキャリアもしくはコンポーネントキャリア、またはキャリアもしくは基地局のカバレージエリア（たとえば、セクタなど）を表すために使用され得る３ＧＰＰ（登録商標）用語である。
【００３８】
[0054]マクロセルは、概して、比較的大きい地理的エリア（たとえば、半径数キロメートル）をカバーし、ネットワークプロバイダのサービスに加入しているＵＥ１１５による無制限アクセスを可能にし得る。スモールセルは、マクロセルと比較して、マクロセルと同じまたは異なる（たとえば、認可、無認可などの）周波数帯域内で動作し得る、低電力基地局である。スモールセルは、様々な例によれば、ピコセルと、フェムトセルと、マイクロセルとを含み得る。ピコセルは、たとえば、小さい地理的エリアをカバーし得、ネットワークプロバイダのサービスに加入しているＵＥ１１５による無制限アクセスを可能にし得る。フェムトセルも、小さい地理的エリア（たとえば、自宅）をカバーし得、フェムトセルとの関連付けを有するＵＥ１１５（たとえば、限定加入者グループ（ＣＳＧ）内のＵＥ１１５、自宅内のユーザのためのＵＥ１１５など）による制限付きアクセスを与え得る。マクロセルのためのｅＮＢは、マクロｅＮＢと呼ばれることがある。スモールセルのためのｅＮＢは、スモールセルｅＮＢ、ピコｅＮＢ、フェムトｅＮＢ、またはホームｅＮＢと呼ばれることがある。ｅＮＢは、１つまたは複数の（たとえば、２つ、３つ、４つなどの）セル（たとえば、コンポーネントキャリア）をサポートし得る。
【００３９】
[0055]ワイヤレス通信システム１００は、同期動作または非同期動作をサポートし得る。同期動作の場合、基地局１０５は同様のフレームタイミングを有し得、異なる基地局１０５からの送信は時間的にほぼ整合され得る。非同期動作の場合、基地局１０５は異なるフレームタイミングを有し得、異なる基地局１０５からの送信は時間的に整合されないことがある。本明細書で説明される技法は、同期動作または非同期動作のいずれかに使用され得る。
【００４０】
[0056]様々な開示される例のいくつかに適応し得る通信ネットワークは、階層化プロトコルスタックに従って動作するパケットベースネットワークであり得、ユーザプレーン（user plane）におけるデータは、ＩＰに基づき得る。無線リンク制御（ＲＬＣ）レイヤは、論理チャネルを介して通信するためにパケットのセグメンテーションとリアセンブリとを実行し得る。媒体アクセス制御（ＭＡＣ）レイヤは、優先度ハンドリングと、トランスポートチャネルへの論理チャネルの多重化とを実行し得る。ＭＡＣレイヤはまた、リンク効率を改善するために、ＭＡＣレイヤにおいて再送信を行うためにハイブリッド自動再送要求（ＨＡＲＱ）を使用し得る。制御プレーンでは、無線リソース制御（ＲＲＣ）プロトコルレイヤは、ＵＥ１１５と基地局１０５との間のＲＲＣ接続の確立と構成と保守とを行い得る。ＲＲＣプロトコルレイヤはまた、ユーザプレーンデータのための無線ベアラのコアネットワーク１３０サポートに使用され得る。物理（ＰＨＹ）レイヤにおいて、トランスポートチャネルは物理チャネルにマッピングされ得る。
【００４１】
[0057]ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の適切な用語を含むか、またはそのように当業者によって呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ）局などであり得る。ＵＥは、マクロｅＮＢ、スモールセルｅＮＢ、リレー基地局などを含む様々なタイプの基地局およびネットワーク機器と通信することが可能であり得る。
【００４２】
[0058]いくつかのタイプのワイヤレスデバイスは、自動化された通信を提供し得る。自動化されたワイヤレスデバイスは、ＭＴＣ通信またはＭ２Ｍ通信を実装するものを含み得る。Ｍ２ＭまたはＭＴＣは、デバイスが人間の介入なしに互いとまたは基地局と通信することを可能にするデータ通信技術を指すことがある。たとえば、Ｍ２ＭまたはＭＴＣは、センサーまたはメーターを組み込んで情報を測定またはキャプチャし、情報を利用することができる中央サーバまたはアプリケーションプログラムにその情報を中継するか、またはプログラムもしくはアプリケーションと対話する人間に情報を提示するデバイスからの通信を指すことがある。いくつかのＵＥ１１５は、情報を収集するか、または機械の自動化された挙動を可能にするように設計されたＭＴＣデバイスなどのＭＴＣデバイスであり得る。ＭＴＣデバイスのための適用例の例としては、スマートメータリング、インベントリ監視、水位監視、機器監視、ヘルスケア監視、野生生物監視、天候および地質学的事象監視、フリート管理および追跡、リモートセキュリティ検知、物理的アクセス制御、ならびにトランザクションベースのビジネスの課金がある。ＭＴＣデバイスは、低減されたピークレートにおいて半二重（一方向）通信を使用して動作し得る。ＭＴＣデバイスはまた、アクティブ通信に参加していないとき、電力節約「ディープスリープ」モードに入るように構成され得る。場合によっては、ＭＴＣデバイスは、スリープ間隔と交互になる通常の送信間隔のために構成され得る。
【００４３】
[0059]ワイヤレス通信システム１００に示された通信リンク１２５は、ＵＥ１１５から基地局１０５へのアップリンクＵＬ送信、または基地局１０５からＵＥ１１５へのダウンリンク（ＤＬ）送信を含み得る。ダウンリンク送信は順方向リンク送信と呼ばれることもあり、ＵＬ送信は逆方向リンク送信と呼ばれることもある。各通信リンク１２５は、１つまたは複数のキャリアを含み得、ここで、各キャリアは、上記で説明された様々な無線技術に従って変調された複数のサブキャリア（たとえば、異なる周波数の波形信号）からなる信号であり得る。各被変調信号は、異なるサブキャリア上で送られ得、制御情報（たとえば、基準信号、制御チャネルなど）、オーバーヘッド情報、ユーザデータなどを搬送し得る。通信リンク１２５は、（たとえば、対スペクトルリソースを使用する）周波数分割複信（ＦＤＤ）動作または（たとえば、不対スペクトルリソースを使用する）時分割複信（ＴＤＤ）動作を使用して、双方向通信を送信し得る。ＦＤＤ（たとえば、フレーム構造タイプ１）およびＴＤＤ（たとえば、フレーム構造タイプ２）のためのフレーム構造が定義され得る。
【００４４】
[0060]ワイヤレス通信システム１００のいくつかの実施形態では、基地局１０５またはＵＥ１１５は、基地局１０５とＵＥ１１５との間の通信品質と信頼性とを改善するために、アンテナダイバーシティ方式を採用するための複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００４５】
[0061]ワイヤレス通信システム１００は、複数のセルまたはキャリア上での動作、すなわち、キャリアアグリゲーション（ＣＡ）またはマルチキャリア動作と呼ばれることがある特徴をサポートし得る。キャリアは、コンポーネントキャリア（ＣＣ）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのために、複数のダウンリンクＣＣと１つまたは複数のＵＬ  ＣＣとで構成され得る。キャリアアグリゲーションは、ＦＤＤコンポーネントキャリアとＴＤＤコンポーネントキャリアの両方とともに使用され得る。
【００４６】
[0062]ＬＴＥシステムは、ＤＬ上では直交周波数分割多元接続（ＯＦＤＭＡ）を利用し、ＵＬ上ではシングルキャリア周波数分割多元接続（ＳＣ−ＦＤＭＡ）を利用し得る。ＯＦＤＭＡおよびＳＣ−ＦＤＭＡは、システム帯域幅を、一般にトーン（tones）またはビン（bins）とも呼ばれる複数（Ｋ）個の直交サブキャリアに区分する。各サブキャリアはデータで変調され得る。隣接するサブキャリア間の間隔は固定であり得、サブキャリアの総数（Ｋ）はシステム帯域幅に依存し得る。たとえば、Ｋは、１．４、３、５、１０、１５、または２０メガヘルツ（ＭＨｚ）の（ガード帯域をもつ）対応するシステム帯域幅に対して、それぞれ、１５キロヘルツ（ＫＨｚ）のサブキャリア間隔をもつ７２、１８０、３００、６００、９００、または１２００に等しくなり得る。システム帯域幅はまた、サブバンドに区分され得る。たとえば、サブバンドは１．０８ＭＨｚをカバーすることができ、１つ、２つ、４つ、８つまたは１６個のサブバンドがあり得る。
【００４７】
[0063]ＬＴＥにおける時間間隔は、基本時間単位（たとえば、サンプリング周期、Ｔｓ＝１／３０，７２０，０００秒）の倍数単位で表され得る。時間リソースは、０から１０２３にわたるシステムフレーム番号（ＳＦＮ）によって識別され得る、１０ｍｓの長さの無線フレーム（Ｔｆ＝３０７２００・Ｔｓ）に従って編成され得る。各フレームは、０から９までの番号を付けられた１０個の１ｍｓサブフレームを含み得る。サブフレームは、２つの．５ｍｓスロットにさらに分割され得、スロットの各々は、（各シンボルにプリペンドされたサイクリックプレフィックスの長さに応じて）６つまたは７つの変調シンボル期間を含んでいる。サイクリックプレフィックスを除いて、各シンボルは、２０４８個のサンプル期間を含んでいる。場合によっては、サブフレームは、送信時間間隔（ＴＴＩ）としても知られる、最小のスケジューリングユニットであり得る。他の場合には、ＴＴＩはサブフレームよりも短くてもよく、または（たとえば、短いＴＴＩバースト中で、または短いＴＴＩを使用する選択されたコンポーネントキャリア中で）動的に選択されてもよい。
【００４８】
[0064]リソース要素は、１つのシンボル期間と１つのサブキャリア（１５ＫＨｚ周波数範囲）とからなり得る。リソースブロックは、周波数領域中に１２個の連続サブキャリアを含んでおり、各ＯＦＤＭシンボル中のノーマルサイクリックプレフィックスについて、時間領域（１スロット）中に７つの連続ＯＦＤＭシンボル、または８４個のリソース要素を含んでいることがある。いくつかのリソース要素は、ＤＬ基準信号（ＤＬ−ＲＳ）を含み得る。ＤＬ−ＲＳは、セル固有基準信号（ＣＲＳ）とＵＥ固有ＲＳ（ＵＥ−ＲＳ）とを含み得る。ＵＥ−ＲＳは、ＰＤＳＣＨに関連付けられたリソースブロック上で送信され得る。各リソース要素によって搬送されるビット数は、変調方式（各シンボル期間中に選択され得るシンボルの構成）に依存し得る。したがって、ＵＥが受信するリソースブロックが多いほど、また変調方式が高いほど、ＵＥのデータレートは高くなり得る。
【００４９】
[0065]データは、論理チャネルと、トランスポートチャネルと、物理レイヤチャネルとに分割され得る。チャネルはまた、制御チャネルとトラフィックチャネルとに分類され得る。論理制御チャネルは、ページング情報のためのページング制御チャネル（ＰＣＣＨ）と、ブロードキャストシステム制御情報のためのブロードキャスト制御チャネル（ＢＣＣＨ）と、マルチメディアブロードキャストマルチキャストサービス（ＭＢＭＳ）スケジューリングおよび制御情報を送信するためのマルチキャスト制御チャネル（ＭＣＣＨ）と、専用制御情報を送信するための専用制御チャネル（ＤＣＣＨ）と、ランダムアクセス情報のための共通制御チャネル（ＣＣＣＨ）と、専用ＵＥデータのためのＤＴＣＨと、マルチキャストデータのためのマルチキャストトラフィックチャネル（ＭＴＣＨ）とを含み得る。ＤＬトランスポートチャネルは、ブロードキャスト情報のためのブロードキャストチャネル（ＢＣＨ）と、データ転送のためのダウンリンク共有チャネル（ＤＬ−ＳＣＨ）と、ページング情報のためのページングチャネル（ＰＣＨ）と、マルチキャスト送信のためのマルチキャストチャネル（ＭＣＨ）とを含み得る。ＵＬトランスポートチャネルは、アクセスのためのランダムアクセスチャネル（ＲＡＣＨ）と、データのためのＵＬ共有チャネル（ＵＬ−ＳＣＨ）とを含み得る。ＤＬ物理チャネルは、ブロードキャスト情報のための物理ブロードキャストチャネル（ＰＢＣＨ）と、制御フォーマット情報のための物理制御フォーマットインジケータチャネル（ＰＣＦＩＣＨ）と、制御およびスケジューリング情報のための物理ダウンリンク制御チャネル（ＰＤＣＣＨ）と、ＨＡＲＱ状態メッセージのための物理ＨＡＲＱインジケータチャネル（ＰＨＩＣＨ）と、ユーザデータのための物理ダウンリンク共有チャネル（ＰＤＳＣＨ）と、マルチキャストデータのための物理マルチキャストチャネル（ＰＭＣＨ）とを含み得る。ＵＬ物理チャネルは、アクセスメッセージのための物理ランダムアクセスチャネル（ＰＲＡＣＨ）と、制御データのためのＰＵＣＣＨと、ユーザデータのための物理ＵＬ共有チャネル（ＰＵＳＣＨ）とを含み得る。
【００５０】
[0066]ＰＵＣＣＨは、コードと２つの連続するリソースブロックとによって定義される制御チャネルにマッピングされ得る。Ｕｌ制御シグナリングは、セルのタイミング同期の存在に依存し得る。スケジューリング要求（ＳＲ）およびチャネル品質インジケータ（ＣＱＩ）報告のためのＰＵＣＣＨリソースは、ＲＲＣシグナリングを通じて割り当てられ（および失効され）得る。場合によっては、ＳＲのためのリソースは、ＲＡＣＨプロシージャを通じて同期を獲得した後に割り当てられ得る。他の場合には、ＳＲは、ＲＡＣＨを通じてＵＥ１１５に割り当てられないことがある（すなわち、同期したＵＥ１１５は、専用ＳＲチャネルを有することもあり、有しないこともある）。ＵＥがもはや同期しなくなったとき、ＳＲおよびＣＱＩのためのＰＵＣＣＨリソースは失われ得る。
【００５１】
[0067]（たとえば、ＰＵＣＣＨ上での）ＨＡＲＱ送信は、データがワイヤレス通信リンク１２５を介して正確に受信されることを保証する方法であり得る。ＨＡＲＱは、（たとえば、巡回冗長検査（ＣＲＣ）を使用する）誤り検出、前方誤り訂正（ＦＥＣ）、および再送信（たとえば、自動再送要求（ＡＲＱ））の組合せを含み得る。ＨＡＲＱは、劣悪な無線状態（たとえば、信号対雑音状態）でのＭＡＣレイヤにおけるスループットを改善し得る。インクリメンタル冗長ＨＡＲＱでは、不正確に受信されたデータは、データの復号に成功する可能性全体を高めるために、バッファに記憶され、後続の送信と組み合わされ得る。場合によっては、冗長ビットが、送信前に各メッセージに追加される。これは、劣悪な状態において特に有用であり得る。他の場合には、冗長ビットは各送信に追加されないが、情報を復号しようとする試みの失敗を示す否定応答（ＮＡＣＫ）を元のメッセージの送信機が受信した後に再送信される。
【００５２】
[0068]場合によっては、ＴＴＩ（たとえば、ＬＴＥにおける１ｍｓ、１つのサブフレームの同等物）は、基地局１０５がＵＬ送信またはＤＬ送信のためにＵＥ１１５をスケジュールし得る最小時間単位として定義され得る。たとえば、ＵＥ１１５がＤＬデータを受信している場合、各１ｍｓ間隔の間、基地局１０５は、リソースを割り当て、そのＤＬデータを探すべき場所をＵＥ１１５に（ＰＤＣＣＨ送信を介して）示すことができる。送信が失敗した場合、ＵＥ１１５（または基地局１０５）は、ＨＡＲＱプロシージャに従ってＮＡＣＫで応答することができる。場合によっては、ＨＡＲＱプロシージャは、データの複数の再送信をもたらすことがあり、このことは、遅延と損なわれたユーザエクスペリエンスとをもたらすことがある。サービスの低下は、劣悪な無線状態（たとえば、セルのエッジの近く）において特に重大であり得る。この低下は、ボイスオーバーインターネットプロトコル（ＶｏＩＰ）（またはボイスオーバーロングタームエボリューション（ＶｏＬＴＥ））などの、いくつかの時間的制約のあるユーザサービスにとっては許容可能ではないことがある。ＴＴＩバンドリングは、そのような無線状態におけるワイヤレス通信リンク１２５を改善するために使用され得る。ＴＴＩバンドリングは、典型的なＨＡＲＱ動作の場合のように冗長バージョンを再送信する前にＮＡＣＫを待つのではなく、連続するまたは連続しないサブフレーム（ＴＴＩ）のグループにおいて同じ情報の複数のコピーを送ることを伴い得る。
【００５３】
[0069]本開示によれば、ＵＥ１１５などのワイヤレスデバイスは、送信時間間隔（ＴＴＩ）バンドリングパラメータで構成され得る。次いで、デバイスは、ＴＴＩバンドリングパラメータに基づいて（たとえば、基地局１０５のサービングセルなどの別のワイヤレスノードからの暗黙的指示または明示的指示のいずれかを使用して）ＰＵＣＣＨのための１つまたは複数のリソースを識別し、識別されたリソースを使用してＰＵＣＣＨを送信し得る。デバイスはまた、ＴＴＩバンドリングパラメータに基づいてＤＣＩフォーマットを識別し得る。たとえば、リソース割振り粒度レベルは、バンドリングパラメータに関連付けられ得、ＤＣＩフィールドの長さは、リソース割振り粒度レベルに依存し得る。
【００５４】
[0070]図２は、本開示の様々な態様による、ＭＴＣデバイスを用いたＰＵＣＣＨのためのワイヤレス通信サブシステム２００の一例を示す。ワイヤレス通信サブシステム２００は、図１を参照しながら説明されたＵＥ１１５の例であり得る、ＵＥ１１５−ａとＵＥ１１５−ｂとを含み得る。いくつかの例では、ＵＥ１１５のうちの１つまたは複数はＭＴＣデバイスであり得る。たとえば、図示のように、ＵＥ１１５−ｂはＭＴＣデバイスであり得る。ワイヤレス通信サブシステム２００はまた、図１を参照しながら上記で説明された基地局１０５の一例であり得る、基地局１０５−ａを含み得る。基地局１０５−ａは、通信リンク１２５を介してそのカバレージエリア１１０−ａ内の任意のＵＥ１１５に制御とデータとを送信し得る。たとえば、通信リンク１２５−ａは、ＵＥ１１５−ａと基地局１０５−ａとの間の双方向通信を可能にし得るが、通信リンク１２５−ｂは、ＵＥ１１５−ｂと基地局１０５−ａとの間の通信を提供し得る。
【００５５】
[0071]ワイヤレス通信サブシステム２００は、送信されたサブフレームの受信状態を送信エンティティ（たとえば、基地局１０５−ａ）に通知するために、ハイブリッド自動再送要求（ＨＡＲＱ）フィードバック方式を採用し得る。ワイヤレス通信サブシステム２００はまた、１つまたは複数のＵＥ１１５のための通信のロバストネス（robustness）と信頼性とを高め得るカバレージ拡張技法（たとえば、電力ブースティングまたはＴＴＩバンドリング）を使用し得る。
【００５６】
[0072]ワイヤレス通信サブシステム２００は、異なる機能と異なる通信環境とを有するＵＥ１１５を含み得る。場合によっては、ＵＥ１１５はまた、２つ以上のレベルのＴＴＩバンドリングまたは他のカバレージ拡張で構成され得る。そのような場合、異なるＵＥ１１５は、異なるレベルのＴＴＩバンドリングまたは他のカバレージ拡張を使用し得る。たとえば、ＵＥ１１５−ａは、基地局１０５−ａのより近くに位置することがあり、ＭＴＣデバイスであり得るＵＥ１１５−ｂとは異なる無線機能を有することがある。ＵＥ１１５−ｂは、信号減衰または干渉のレベルを高め得る、ＵＥ１１５−ａよりも長い送信経路を有することがある。したがって、ＵＥ１１５−ｂは、ＵＥ１１５−ａによって使用されるカバレージ拡張レベルとは異なるカバレージ拡張レベルを使用し得る。場合によっては、基地局１０５−ａは、ＵＥ１１５−ａとは異なるＴＴＩバンドリング構成（たとえば、より高いレベルのＴＴＩバンドリング）を用いてＵＥ１１５−ｂを構成し得る。場合によっては、ＰＵＣＣＨ送信のためのリソースは、（他の要因に加えて）各ＵＥ１１５によって使用されるＴＴＩバンドリングのタイプ／レベルに基づいて、いくつかのサブフレームだけＤＬ送信からオフセットされ得る。これは、基地局１０５−ａがＵＥ１１５−ａおよびＵＥ１１５−ｂからのＰＵＣＣＨ送信（たとえば、ＨＡＲＱフィードバック）の衝突を防止するのを可能にし得る。
【００５７】
[0073]異なるレベルのＴＴＩバンドリングを採用するＵＥ１１５はまた、リソース割振りのための異なる粒度レベルを割り振られ得る（たとえば、１つ、３つまたは６つのＲＢのセットにおいてＵＥ１１５のためにリソースが割り振られ得る）。割り振られたＲＢは、周波数領域において隣接していてもよい。たとえば、ＵＥ１１５−ｂへの送信が周波数領域中の６つのＲＢセグメントにおいて行われる場合、このことは、より短い時間期間において同じ量の情報が送信されることを可能にし得る。送信の持続時間は、電力消費量に逆相関し得る。したがって、周波数領域にわたって拡散されるより多くのＲＢを割り振ることは、電力消費量を低減し得る。リソース割振り粒度を高めることは、基地局１０５−ａ（または別のワイヤレスデバイス）が、どのＲＢがＵＥ１１５−ｂを対象とするかを示すビット数を低減することも可能にし得る。したがって、いくつかの例では、異なるＤＣＩフォーマットは、異なるレベルのカバレージ拡張を採用するＵＥ１１５に使用され得る。
【００５８】
[0074]場合によっては、１つのサブフレーム内のおよび／または複数のサブフレームにわたるＰＵＣＣＨリソースホッピングも採用され得る。しかしながら、ホッピングされたリソースは、コヒーレントチャネル推定を可能にするために、複数のサブフレームにわたる１つのサブフレーム内の同じＲＢ内にあることがある（すなわち、リソースは、同じＲＢ内で、ただし、異なるサイクリックシフトまたは拡散コードを用いてホッピングされることがある）。一例として、ＰＵＣＣＨが２サブフレームのバンドリング長を有すると仮定する。ＰＵＣＣＨは、第１のサブフレーム中の第１のスロットにおいてＲＢ０を使用し、第１のフレーム中の第２のスロットオブにおいてＲＢ５を使用し得る。ＰＵＣＣＨは依然として、第２のサブフレーム中の第１のロットにおいてＲＢ０を使用し、第２のフレーム中の第２のスロットにおいてＲＢ５を使用するが、第１のサブフレームおよび第２のサブフレームのためのＲＢ０（またはＲＢ５）中のリソースは異なり得る。別の例として、ＰＵＣＣＨが２サブフレームのバンドリング長を有すると仮定する。ＰＵＣＣＨは、第１のサブフレーム中の第１のスロットにおいてＲＢ０を使用し、第１のフレーム中の第２のスロットオブにおいてＲＢ０を使用し得るが、ＲＢ０中のリソースは第１のスロットと第２のスロットとで異なり得る。ＰＵＣＣＨは依然として、第２のサブフレーム中の第１のスロットにおいてＲＢ０を使用し、第２のフレーム中の第２のスロットにおいてＲＢ０を使用するが、第１のサブフレームおよび第２のサブフレームのためのＲＢ０中のリソースは異なり得る。同様に、リソースホッピングは、ＰＤＳＣＨ、ＰＵＳＣＨなどの他のチャネルのために有効化され得る。ＰＵＣＣＨミラーホッピングとＰＵＣＣＨのための１つのＲＢとを使用する、ＭＴＣデバイスなどのＵＥ１１５の場合、残りのリソースは、ＰＵＳＣＨによって使用され得る（すなわち、デバイスがそれらのＲＢ上で監視する場合、キャリア帯域幅の中央の６つのＲＢからの残りの５つのＲＢ）。たとえば、１つのＲＢがＰＵＣＣＨミラーホッピング用に指定される場合、また、ＰＵＳＣＨがそのＲＢ上で割り振られる場合、ＰＵＳＣＨはＰＵＣＣＨを中心としてレートマッチングし得る。
【００５９】
[0075]図３は、本開示の様々な態様による、リソースオフセット構成３００の一例を示す。リソースオフセット構成３００は、図１〜図２を参照しながら説明されたように、ＵＥ１１５および基地局１０５によって使用され得る。リソースオフセット構成３００は、異なるＵＥ１１５からのＰＵＣＣＨ送信の衝突を防止または緩和するようにスケジュールされ得る、ＤＬ制御ＴＴＩバンドル３０５、ＤＬデータＴＴＩバンドル３１０、およびＰＵＣＣＨバンドル３１５の送信を含み得る。
【００６０】
[0076]リソースオフセット構成３００は、基地局１０５などのワイヤレスノードから第１のＵＥ１１５（図示せず）へのＤＬ制御ＴＴＩバンドル３０５−ａを含み得る。ＤＬ制御ＴＴＩバンドル３０５−ａは、第１のＵＥ１１５のための制御情報を搬送し得る、同じサブフレームの１５個のバージョンを含み得る（すなわち、ＤＬ制御ＴＴＩバンドル３０５−ａは、第１のレベルのＴＴＩバンドリングを有する送信であり得る）。ＤＬ制御ＴＴＩバンドル３０５−ａの送信の直後に、基地局１０５はＤＬデータＴＴＩバンドル３１０−ａを送信し得る。ＤＬデータＴＴＩ３１０−ａは、ＤＬ制御ＴＴＩバンドル３０５−ａと同じＴＴＩバンドリングレベルを使用し得、第１のＵＥ１１５のためのデータを搬送するサブフレームの冗長バージョンを含み得る。第１のＵＥ１１５は、リソースオフセット３２０−ａに従って、ＤＬデータＴＴＩ３１０−ａを受信し、ＰＵＣＣＨバンドル３１５−ａを送信し得る。リソースオフセット３２０−ａは、第１のＵＥ１１５のＴＴＩバンドリングに、または同じノードによってスケジュールされた他のＵＥ１１５のリソースオフセットなどの他の要因に基づき得る。
【００６１】
[0077]リソースオフセット構成３００は、ワイヤレスノードから第２のＵＥ１１５（図示せず）へのＤＬ制御ＴＴＩバンドル３０５−ｂを含み得る。ＤＬ制御ＴＴＩバンドル３０５−ｂは、ＤＬ制御ＴＴＩバンドル３０５−ｂとは異なるレベルのＴＴＩバンドリングを使用し得る（たとえば、ＤＬ制御ＴＴＩバンドル３０５−ｂは、同じサブフレームの４つの冗長バージョンを含み得る）。ＤＬ制御ＴＴＩバンドル３０５−ｂの後、基地局１０５はＤＬデータＴＴＩバンドル３１０−ｂを送信し得、ＤＬデータＴＴＩバンドル３１０−ｂは、ＤＬ制御ＴＴＩバンドル３０５−ｂに対応し、したがって、同じＴＴＩバンドリングを使用し得る。第２のＵＥ１１５は、ＤＬデータＴＴＩバンドル３１０−ｂを受信し、ＤＬデータＴＴＩバンドル３１０−ｂに対応し、リソースオフセット３２０−ｂに従って送信されるＰＵＣＣＨバンドル３１５−ｂを送り得る。リソースオフセット３２０−ｂは、第２のＵＥ１１５のためのＴＴＩバンドリングに少なくとも部分的に基づき得る。ＰＵＣＣＨバンドル３１５−ｂは、ＤＬ制御ＴＴＩバンドル３０５−ｂおよびＤＬデータＴＴＩバンドル３１０−ｂと同じＴＴＩバンドリングを使用し得る。しかしながら、いくつかの例では、ＤＬ制御ＴＴＩバンドル３０５、ＤＬデータＴＴＩバンドル３１０、およびＰＵＣＣＨバンドル３１５のＴＴＩバンドリングレベルは異なり得る。
【００６２】
[0078]リソースオフセット構成３００はまた、ワイヤレスノードと第３のＵＥ１１５（図示せず）との間の通信を含み得る。第３のＵＥ１１５は、ＴＴＩバンドリングを使用しないことがある。したがって、ＤＬ制御ＴＴＩバンドル３０５−ｃは、制御情報を搬送するサブフレームの単一のバージョンを含み得る。したがって、ＤＬデータＴＴＩバンドル３１０−ｃは、データを搬送するサブフレームの単一のバージョンを含み得る。第３のＵＥ１１５は、ＤＬデータＴＴＩバンドル３１０−ｃを受信し、それに応答してＰＵＣＣＨバンドル３１５−ｃを送信し得る。ＰＵＣＣＨバンドル３１５−ｃは、第３のＵＥ１１５のためのＴＴＩバンドリングに基づき得るリソースオフセット３２０−ｃに従って送信され得る。したがって、リソースオフセット３２０は異なるＵＥ１１５ごとに異なり得、ＵＥ１１５のカバレージ拡張に基づき得る。
【００６３】
[0079]リソースオフセット構成３００に示されたＴＴＩバンドリングレベルおよびリソースオフセットは、ＴＴＩバンドリングレベルおよびリソースオフセットの例であるが、他の構成も可能である。また、場合によっては、ワイヤレスノードは、時間領域または周波数領域のいずれかにおいてＵＥ１１５のグループへの送信をアグリゲートし得る。たとえば、基地局１０５は、あるレベルのＴＴＩバンドリング（とあるリソースオフセットと）を用いてＵＥ１１５が使用するための周波数領域中の利用可能なＲＢのサブセットを選択する一方で、異なるＴＴＩバンドリングレベルと、場合によっては、異なるリソースオフセットとを用いてＵＥ１１５の別のグループが使用するための別の周波数領域を取っておくことができる。別の例では、ワイヤレスノードは、異なる時間期間を、ある一定のレベルのＴＴＩバンドリングを用いたＵＥ１１５との間の送信専用にすることができる。場合によっては、単一のＵＥ１１５はまた、２つ以上のレベルのＴＴＩバンドリングまたは２つ以上のリソースオフセットを使用するように構成され得る。
【００６４】
[0080]図４は、本開示の様々な態様による、ＭＴＣデバイスを用いたＰＵＣＣＨのためのリソースブロック割振り４００の一例を示す。リソースブロック割振り４００は、図１を参照しながら説明されたＵＥ１１５または基地局１０５などのワイヤレスデバイスによって使用され得る。たとえば、基地局１０５は、特定のＵＥ１１５が使用するためのいくつかのリソースブロックを割り振ることができる。リソース割振りは、所定のまたは動的な粒度（すなわち、任意の所与のＴＴＩの間に特定のＵＥ１１５に割り当てられる最小数のＲＢ）に従って行われ得る。リソースブロック割振り４００は３ＲＢ粒度で示されているが、割振りの粒度は何らかの他の数のＲＢ（たとえば、１つ、２つ、または６つ）であり得る。
【００６５】
[0081]リソースブロック割振り４００は、周波数領域において隣接して配置された６つのＲＢを含み得る例示的なリソースグループ４０５の４つの変形態を含み得る。リソースグループ４０５は、キャリア帯域幅の中間の６つのＲＢを表し得る。すなわち、場合によっては、ＭＴＣデバイスなどのＵＥ１１５は、セル中の利用可能なＲＢからリソースグループ４０５のみを受信するように構成され得る。３つのＲＢというリソース割振り粒度の場合、ＲＢ割振りの４つの考えられる組合せがあり得る（すなわち、割振りは２ビットによって表され得る）。一例では、ＵＥ１１５が使用するために、リソースグループ４０５−ａのＲＢセット４１０−ａが割り振られ得る。代替オプションでは、ＵＥ１１５のために、リソースグループ４０５−ｂのＲＢセット４１０−ｂが割り振られ得る。または、ＵＥ１１５が使用するために、リソースグループ４０５−ｃのＲＢセット４１０−ｃが割り振られ得る。追加の割振りオプションは、リソースグループ４０５−ｄによって示され得、このリソースグループでは、ＵＥ１１５が使用するために、ＲＢセット４１０−ｄが割り振られる。別の例として、３つのＲＢというリソース割振り粒度の場合、ＲＢ割振りの３つの考えられる組合せがあり得る（すなわち、割振りは２ビットによって表され得る）。第１の組合せはＲＢセット４１０−ａによって示され得、第２の組合せはリソースグループ４０５−ｄによって示され得るが、第３の組合せは６つのＲＢ全体である。この例では、リソース割振りの開始オフセットはリソース割振り粒度の関数でもある。すなわち、リソース割振りはＲＢ０またはＲＢ３からのみ開始することができる。別の例として、ＭＴＣデバイスが２ＲＢ割振り（図示せず）を使用する場合、リソース割振りの５つの考えられる組合せがあり得る（すなわち、リソース割振りを搬送するために３ビットが使用され得る）。一例として、第１の組合せは１番目の２つのＲＢであり得、第２の組合せは２番目の２つのＲＢであり得、第３の組合せは３番目の２つのＲＢであり得、第４の組合せは１番目の４つのＲＢであり得るが、第５の組合せは６つのＲＢ全体であり得る。１ＲＢ粒度では、リソース情報を搬送するために５ビットが使用され得る。
【００６６】
[0082]したがって、リソース割振りは、ＭＴＣデバイスのそれぞれのＴＴＩバンドリングレベルに対応し得る様々なレベルの粒度に従って行われ得る。たとえば、高いＴＴＩバンドリングレベルを有するＭＴＣデバイスは、制御／データチャネルのためにサブフレーム中のより多くのリソースを使用し得る。したがって、送信時間が低減され得、このことは電力消費量を低減し得る。言い換えれば、より高いＴＴＩバンドリングレベルを有するＭＴＣデバイスは、低いＴＴＩバンドリングレベルを有するＭＴＣデバイスよりも粗いリソース粒度を使用し得る（たとえば、カバレージ拡張なしのＭＴＣデバイスは、単一のＲＢというリソース粒度を使用し得るが、高いレベルのカバレージ拡張を有するＭＴＣデバイスは、３つのＲＢまたは６つのＲＢというリソース粒度を使用し得る）。ＭＴＣデバイスが６ＲＢ割振りを使用する場合、スケジューリングノード（たとえば、基地局１０５）は、ＰＤＣＣＨにおいてリソース割振りを示すことを控えることができ、このことは、リソース割振りを搬送するために使用されるビット数全体を低減することができる。加えて、そのような方式は、単一のＰＵＣＣＨリソースが情報を搬送することを可能にし得る。
【００６７】
[0083]いくつかの例では、異なるＴＴＩバンドリングレベルを有するＭＴＣデバイスは、異なるＤＣＩフォーマットを有し得、このことは、異なるリソース割振り粒度または異なる変調コーディング方式（ＭＣＳ）セットに起因するものであり得る。一例として、１というＴＴＩバンドリングレベル（すなわち、ＴＴＩバンドリングなし）の場合、変調およびコーディング方式の異なる組合せを示し得る５ビットＭＣＳ情報フィールドが使用され得る。変調は、ＱＰＳＫ、１６ＱＡＭなどを含み得る。対応するトランスポートブロックサイズは、ＭＣＳ情報フィールドに少なくとも部分的に基づいて決定され得る。１よりも大きいＴＴＩバンドリングレベルの場合、変調およびコーディング方式の異なるセットを示し得る２ビットＭＣＳ情報フィールドが使用され得る。変調は、ＱＰＳＫのみに限定され得る。したがって、トランスポートブロックサイズは、やはり２ビットＭＣＳに少なくとも部分的に基づいて決定され得る。そのような場合、ＭＴＣデバイスのより小さい制御サイズがカバレージを改善し得る。代替例では、異なるカバレージレベルを有するＭＴＣデバイスは、異なる周波数ロケーションまたは時間ロケーションに配置され得る。たとえば、５ＭＨｚシステムでは、各々が６つのＲＢである、４つのブロックがあり得る。各ブロックは、同じカバレージレベルを有するＭＴＣデバイスの特定のセットに専用であり得る。別の例では、６つのＲＢのブロックは、第１のカバレージレベルを有するＭＴＣデバイスのセットに使用され得、次いで、後で第２のカバレージレベルを有するＭＴＣデバイスの異なるセットに使用され得る。
【００６８】
[0084]場合によっては、カバレージ拡張なしのＵＥ１１５は、１ＲＢ割振り粒度を使用し得、カバレージ拡張ありのＭＴＣデバイスなどのＵＥ１１５は、３ＲＢリソース割振りを使用し得る。場合によっては、複数のレベルのカバレージ拡張（たとえば、３つのレベルのＴＴＩバンドリングに関連付けられた３つのレベル）があり得る。したがって、ハイブリッド自動再送要求（ＨＡＲＱ）リソースシグナリングに使用されるＰＵＣＣＨリソースの総数は、ブロックの数または各ブロック内のリソース割振り粒度に依存し得る。
【００６９】
[0085]場合によっては、リソース割振りの粒度は、ＵＥ１１５のＴＴＩバンドリングレベルに少なくとも部分的に基づき得る。たとえば、より高いＴＴＩバンドリングレベルを有するＵＥ１１５は、カバレージ拡張なしのＵＥ１１５よりも粗い粒度に従ってリソースを割り振られ得る。たとえば、高いＴＴＩバンドリングレベルＵＥ１１５は６ＲＢ割振りを使用し得るが、カバレージ拡張なしのＵＥ１１５は単一ＲＢ割振りを使用し得る。リソース割振りの粒度は、ＰＵＣＣＨに使用されるリソースの数に影響を及ぼし得る（たとえば、より粗いリソース割振りは、割当てを搬送するために使用されるＰＵＣＣＨリソースの量を低減し得る）。たとえば、３ＲＢ粒度が使用されるとき、基地局１０５は２つのＰＵＣＣＨリソースを使用し得る。
【００７０】
[0086]図５は、本開示の様々な態様による、ＭＴＣデバイスを用いたＰＵＣＣＨのためのプロセスフロー５００の一例を示す。プロセスフロー５００は、図１〜図２を参照しながら上記で説明されたＵＥ１１５の一例であり得る、ＵＥ１１５−ｃを含み得る。場合によっては、ＵＥ１１５−ｃはＭＴＣデバイスであり得る。プロセスフロー５００はまた、図１〜図２を参照しながら上記で説明された基地局１０５の一例であり得る、基地局１０５−ｂを含み得る。
【００７１】
[0087]ステップ５０５において、ＵＥ１１５−ｃは、ＴＴＩバンドリングパラメータを識別し得る。たとえば、基地局１０５−ｂは、ＴＴＩバンドリングパラメータを含む構成メッセージを送信し得る。構成はまた、ＰＵＣＣＨ送信のためのリソースオフセットを（暗黙的または明示的に）含み得る。
【００７２】
[0088]ステップ５１０において、ＵＥ１１５−ｃは、ＴＴＩバンドリングパラメータまたは基地局１０５−ｂからの指示に基づいて、ＰＵＣＣＨ送信のためのリソースオフセットを識別し得る。
【００７３】
[0089]ステップ５１５において、基地局は、ＤＬ制御情報とデータとをＵＥ１１５−ｃに送信し得る。ステップ５２０において、ＵＥ１１５−ｃは、ＴＴＩバンドリングパラメータ（とＤＬ制御またはデータ送信のリソースインデックスと）に少なくとも部分的に基づいて、ＵＬ制御チャネルのための１つまたは複数のリソースを識別し得る。いくつかの例では、１つまたは複数のリソースを識別することは、暗黙的リソース割振りに基づく。いくつかの例では、暗黙的リソース割振りは、ＰＤＣＣＨ（制御）リソースまたはＰＤＳＣＨ（データ）リソースに少なくとも部分的に基づく。
【００７４】
[0090]いくつかの例では、１つまたは複数のリソースを識別することは、サービングセルのキャリア帯域幅の周波数範囲のセットとＴＴＩバンドリングパラメータのセットとの間の対応関係に少なくとも部分的に基づき、ここにおいて、ＴＴＩバンドリングパラメータのセットは、ＵＬ制御チャネルのＴＴＩバンドリングパラメータを備える。場合によっては、ＵＥ１１５−ｃは、リソースオフセットのセットとＴＴＩバンドリングパラメータのセットとの間の対応関係を決定し得、ここにおいて、ＴＴＩバンドリングパラメータのセットは、ＵＬ制御チャネルのＴＴＩバンドリングパラメータを備える。いくつかの例では、１つまたは複数のリソースを識別することは、ＴＴＩバンドリングパラメータと対応関係とに少なくとも部分的に基づいて、リソースオフセットのセットからリソースオフセットを選択することを含む。
【００７５】
[0091]ステップ５２５において、ＵＥ１１５−ｃは、１つまたは複数のリソースを使用してＵＬ制御チャネルを送信し得る。たとえば、ＵＥ１１５−ｃは、ステップ５１５においてＤＬデータの受信に成功したかどうかを示すＡＣＫまたはＮＡＣＫを送信し得る。基地局１０５−ｂは、同じリソースを使用してＵＬ制御チャネルを受信し得る。
【００７６】
[0092]場合によっては、ＵＥ１１５−ｃはまた、ＴＴＩバンドリングパラメータに少なくとも部分的に基づいて、ＤＣＩフォーマットを識別し得る。いくつかの例では、ＴＴＩバンドリングパラメータは、リソース割振り粒度レベルに対応する。いくつかの例では、リソース割振り粒度レベルは、ＵＬ制御チャネルのためのリソースのセットを示すＤＣＩフィールドがリソース割振り粒度レベルに基づく数ビットを含むような、最小数の複数のＲＢに基づく。いくつかの例では、ＴＴＩバンドリングパラメータは、変調およびコーディング方式（ＭＣＳ）情報フィールドに対応し、ＤＣＩフォーマットは、ＭＣＳ情報フィールドに基づく。
【００７７】
[0093]一例として、ＵＥ１１５−ｃは、第１のＴＴＩバンドリング長を決定し、次いで、第１のＴＴＩバンドリング長に基づいて、ＭＣＳ情報フィールドの第１の長さを決定し得る。
【００７８】
[0094]次いで、ＵＥ１１５−ｃは第２のＴＴＩバンドリング長を決定し得、ここで、第２のＴＴＩバンドリング長は、第１のＴＴＩバンドリング長よりも大きくてもよい。次いで、ＵＥ１１５−ｃは、第２のＴＴＩバンドリング長に基づいて、ＭＣＳ情報フィールドの第２の長さを決定し得、ここで、ＭＣＳ情報フィールドの第２の長さは、ＭＣＳ情報フィールドの第１の長さよりも小さい。
【００７９】
[0095]図６は、本開示の様々な態様による、ＭＴＣデバイスを用いたＰＵＣＣＨのために構成されたワイヤレスデバイス６００のブロック図を示す。ワイヤレスデバイス６００は、図１〜図５を参照しながら説明されたＵＥ１１５または基地局１０５の態様の一例であり得る。ワイヤレスデバイス６００は、受信機６０５、ＰＵＣＣＨモジュール６１０、または送信機６１５を含み得る。ワイヤレスデバイス６００はまた、プロセッサを含み得る。これらの構成要素の各々は、互いと通信していることがある。
【００８０】
[0096]ワイヤレスデバイス６００の構成要素は、個々にまたはまとめて、適用可能な機能の一部または全部をハードウェアで実行するように適合された少なくとも１つの特定用途向け集積回路（ＡＳＩＣ）を用いて実装され得る。代替的に、それらの機能は、１つまたは複数の他の処理ユニット（またはコア）によって、少なくとも１つのＩＣ上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、または別のセミカスタムＩＣ）が使用され得る。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【００８１】
[0097]受信機６０５は、パケット、ユーザデータ、または様々な情報チャネルに関連付けられた制御情報（たとえば、制御チャネル、データチャネル、およびＭＴＣデバイスのためのＰＵＣＣＨに関する情報など）などの情報を受信し得る。情報は、ＰＵＣＣＨモジュール６１０に、およびワイヤレスデバイス６００の他の構成要素に渡され得る。いくつかの例では、受信機６０５は、１つまたは複数のリソースを使用してＵＬ制御チャネルを受信し得る（たとえば、基地局１０５は、ＰＵＣＣＨを受信し得る）。いくつかの例では、受信機６０５は、ＴＴＩバンドリングパラメータのための複数のリソースの構成を受信し得る（たとえば、ＵＥ１１５は、ＤＬ制御チャネルにおいて構成を受信し得る）。いくつかの例では、受信機６０５は、ＤＬ制御チャネルにおいてリソース指示を受信し得る。いくつかの例では、受信機６０５は、ＤＣＩフォーマットに少なくとも部分的に基づいて、ＤＬ制御チャネルを受信し得る。
【００８２】
[0098]ＰＵＣＣＨモジュール６１０は、ＵＬ制御チャネルのＴＴＩバンドリングパラメータを識別し、ＴＴＩバンドリングパラメータに少なくとも部分的に基づいて、ＵＬ制御チャネルのための１つまたは複数のリソースを識別し得る。いくつかの例では、１つまたは複数のリソースを識別することは、ワイヤレスノードから１つまたは複数のリソースの指示を受信することを備える。
【００８３】
[0099]送信機６１５は、ワイヤレスデバイス６００の他の構成要素から受信された信号を送信し得る。いくつかの実施形態では、送信機６１５は、トランシーバモジュールにおいて受信機６０５とコロケートされ（collocated）得る。送信機６１５は、単一のアンテナを含み得るか、または複数のアンテナを含み得る。いくつかの例では、送信機６１５は、１つまたは複数のリソースを使用してＵＬ制御チャネルを送信し得る（たとえば、ＵＥ１１５は、ＰＵＣＣＨを送信し得る）。いくつかの例では、送信機６１５は、ＤＣＩフォーマットに少なくとも部分的に基づいて、ＤＬ制御チャネルを送信し得る（たとえば、基地局１０５は、ＰＤＣＣＨを送信し得る）。
【００８４】
[0100]図７は、本開示の様々な態様による、ＭＴＣデバイスを用いたＰＵＣＣＨのためのワイヤレスデバイス７００のブロック図を示す。ワイヤレスデバイス７００は、図１〜図６を参照しながら説明されたワイヤレスデバイス６００の態様の一例であり得る（たとえば、ワイヤレスデバイス７００は、ＵＥ１１５または基地局１０５を表し得る）。ワイヤレスデバイス７００は、受信機６０５−ａ、ＰＵＣＣＨモジュール６１０−ａ、または送信機６１５−ａを含み得る。ワイヤレスデバイス７００はまた、プロセッサを含み得る。これらの構成要素の各々は、互いと通信していることがある。ＰＵＣＣＨモジュール６１０−ａはまた、バンドリングパラメータモジュール７０５と、ＵＬ制御リソースモジュール７１０とを含み得る。
【００８５】
[0101]ワイヤレスデバイス７００の構成要素は、個々にまたはまとめて、適用可能な機能の一部または全部をハードウェアで実行するように適合された少なくとも１つのＡＳＩＣを用いて実装され得る。代替的に、それらの機能は、１つまたは複数の他の処理ユニット（またはコア）によって、少なくとも１つのＩＣ上で実行され得る。他の実施形態では、当技術分野で知られている任意の方法でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【００８６】
[0102]受信機６０５−ａは、ＰＵＣＣＨモジュール６１０−ａに、およびワイヤレスデバイス７００の他の構成要素に渡され得る情報を受信し得る。ＰＵＣＣＨモジュール６１０−ａは、図６を参照しながら上記で説明された動作を実行し得る。送信機６１５−ａは、ワイヤレスデバイス７００の他の構成要素から受信された信号を送信し得る。
【００８７】
[0103]バンドリングパラメータモジュール７０５は、図１〜図５を参照しながら上記で説明されたように、ＵＬ制御チャネルのＴＴＩバンドリングパラメータを識別し得る。場合によっては、バンドリングパラメータモジュール７０５は、第１のＴＴＩバンドリング長と第２のＴＴＩバンドリング長とを決定し得、ここで、第２のＴＴＩバンドリング長は、第１のＴＴＩバンドリング長よりも大きい。
【００８８】
[0104]ＵＬ制御リソースモジュール７１０は、図１〜図５を参照しながら上記で説明されたように、ＴＴＩバンドリングパラメータに少なくとも部分的に基づいて、ＵＬ制御チャネルのための１つまたは複数のリソースを識別し得る。
【００８９】
[0105]図８は、本開示の様々な態様による、ＭＴＣデバイスを用いたＰＵＣＣＨのためのＰＵＣＣＨモジュール６１０−ｂのブロック図を示す。ＰＵＣＣＨモジュール６１０−ｂは、図６〜図７を参照しながら説明されたＰＵＣＣＨモジュール６１０の態様の一例であり得る。ＰＵＣＣＨモジュール６１０−ｂは、バンドリングパラメータモジュール７０５−ａと、ＵＬ制御リソースモジュール７１０−ａとを含み得る。これらのモジュールの各々は、図７を参照しながら上記で説明された機能を実行し得る。ＰＵＣＣＨモジュール６１０−ｂはまた、暗黙的割振りモジュール８０５と、周波数範囲モジュール８１０と、リソースオフセットモジュール８１５と、リソース選択モジュール８２０と、ホッピングパターンモジュール８２５と、ＤＣＩフォーマットモジュール８３０と、リソース割振り粒度モジュール８３５と、ＭＣＳ情報フィールドモジュール８４０とを含み得る。
【００９０】
[0106]ＰＵＣＣＨモジュール６１０−ｂの構成要素は、個々にまたはまとめて、適用可能な機能の一部または全部をハードウェアで実行するように適合された少なくとも１つのＡＳＩＣを用いて実装され得る。代替的に、それらの機能は、１つまたは複数の他の処理ユニット（またはコア）によって、少なくとも１つのＩＣ上で実行され得る。他の実施形態では、当技術分野で知られている任意の方法でプログラムされ得る他のタイプの集積回路（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用プロセッサまたは特定用途向けプロセッサによって実行されるようにフォーマットされた、メモリ内で具現化された命令を用いて実装され得る。
【００９１】
[0107]暗黙的割振りモジュール８０５は、図１〜図５を参照しながら上記で説明されたように、１つまたは複数のリソースを識別することが、暗黙的リソース割振りに基づいて、１つまたは複数のリソースを識別することを含み得るように構成され得る。いくつかの例では、暗黙的リソース割振りは、ＰＤＣＣＨリソースまたはＰＤＳＣＨリソースに少なくとも部分的に基づき得る。
【００９２】
[0108]周波数範囲モジュール８１０は、図１〜図５を参照しながら上記で説明されたように、１つまたは複数のリソースを識別することが、サービングセルのキャリア帯域幅の周波数範囲のセットとＴＴＩバンドリングパラメータのセットとの間の対応関係に少なくとも部分的に基づいて、１つまたは複数のリソースを識別することを含み得、ここにおいて、ＴＴＩバンドリングパラメータのセットが、ＵＬ制御チャネルのＴＴＩバンドリングパラメータを含み得るように構成され得る。
【００９３】
[0109]リソースオフセットモジュール８１５は、図１〜図５を参照しながら上記で説明されたように、リソースオフセットのセットとＴＴＩバンドリングパラメータのセットとの間の対応関係を決定し得、ここにおいて、ＴＴＩバンドリングパラメータのセットは、ＵＬ制御チャネルのＴＴＩバンドリングパラメータを備える。いくつかの例では、１つまたは複数のリソースを識別することは、ＴＴＩバンドリングパラメータと対応関係とに少なくとも部分的に基づいて、リソースオフセットのセットからリソースオフセットを選択することを備える。リソースオフセットモジュール８１５はまた、ＴＴＩバンドリングパラメータに対応するリソースオフセットを示す構成を受信し得、ここにおいて、１つまたは複数のリソースを識別することは、リソースオフセットに基づく。
【００９４】
[0110]リソース選択モジュール８２０は、図１〜図５を参照しながら上記で説明されたように、指示に基づいて、ＴＴＩバンドリングパラメータのための構成された複数のリソースから１つのリソースを識別し得る。
【００９５】
[0111]ホッピングパターンモジュール８２５は、図１〜図５を参照しながら上記で説明されたように、１つまたは複数のリソースを識別することが、リソースブロック中の複数のサブフレームを介したバンドル送信のためのリソースホッピングパターンを識別することを含み得るように構成され得る。
【００９６】
[0112]ＤＣＩフォーマットモジュール８３０は、図１〜図５を参照しながら上記で説明されたように、ＴＴＩバンドリングパラメータに少なくとも部分的に基づいて、ＤＣＩフォーマットを識別し得る。
【００９７】
[0113]リソース割振り粒度モジュール８３５は、図１〜図５を参照しながら上記で説明されたように、ＴＴＩバンドリングパラメータが、リソース割振り粒度レベルに対応し、ここにおいて、ＤＣＩフォーマットが、リソース割振り粒度レベルに少なくとも部分的に基づき得るように構成され得る。いくつかの例では、リソース割振り粒度レベルは、最小数の複数のＲＢに基づき得、ここにおいて、ＵＬ制御チャネルのためのリソースのセットを示すＤＣＩフィールドは、リソース割振り粒度レベルに基づく数ビットを備える。いくつかの例では、リソース割振り粒度レベルは、１ＲＢという最小数に基づき得、ここにおいて、ＵＬ制御チャネルのためのリソースのセットを示すＤＣＩフィールドは、リソース割振り粒度レベルに基づくいくつかのビットを備える。
【００９８】
[0114]ＭＣＳ情報フィールドモジュール８４０は、ＴＴＩバンドリング長に基づいて、ＭＣＳ情報フィールドの長さを決定し得る。ＭＣＳ情報フィールドモジュール８４０は、図１〜図５を参照しながら上記で説明されたように、ＴＴＩバンドリングパラメータが、ＭＣＳ情報フィールドに対応し、ここにおいて、ＤＣＩフォーマットが、ＭＣＳ情報フィールドに少なくとも部分的に基づき得るように構成され得る。ＭＣＳ情報フィールドモジュール８４０はまた、第２のＴＴＩバンドリング長に基づいて、ＭＣＳ情報フィールドの第２の長さを決定し得、ここで、ＭＣＳ情報フィールドの第２の長さは、ＭＣＳ情報フィールドの第１の長さよりも小さい。
【００９９】
[0115]図９は、本開示の様々な態様による、ＭＴＣデバイスを用いたＰＵＣＣＨのために構成されたＵＥ１１５を含むシステム９００の図を示す。システム９００は、図１〜図８を参照しながら上記で説明されたＵＥ１１５、ワイヤレスデバイス６００またはワイヤレスデバイス７００の一例であり得る、ＵＥ１１５−ｄを含み得る。ＵＥ１１５−ｄは、図６〜図８を参照しながら説明されたＰＵＣＣＨモジュール６１０の一例であり得る、ＰＵＣＣＨモジュール９１０を含み得る。ＵＥ１１５−ｄはまた、カバレージ拡張モジュール９２５を含み得る。ＵＥ１１５−ｄはまた、通信を送信するための構成要素と通信を受信するための構成要素とを含む、双方向音声およびデータ通信のための構成要素を含み得る。たとえば、ＵＥ１１５−ｄは、ＵＥ１１５−ｅまたは基地局１０５−ｃと双方向に通信し得る。
【０１００】
[0116]カバレージ拡張モジュール９２５は、図１〜図５を参照しながら上記で説明されたように、ＴＴＩバンドリングパラメータが、デバイスのカバレージ拡張設定に少なくとも部分的に基づき得るように構成され得る。いくつかの例では、デバイスはＭＴＣデバイスであり得る。
【０１０１】
[0117]ＵＥ１１５−ｄはまた、プロセッサモジュール９０５と、メモリ９１５（ソフトウェア（ＳＷ）を含む）９２０と、トランシーバモジュール９３５と、１つまたは複数のアンテナ９４０とを含み得、それらの各々は、直接または間接的に（たとえば、バス９４５を介して）互いと通信し得る。トランシーバモジュール９３５は、上記で説明されたように、アンテナ９４０またはワイヤードリンクもしくはワイヤレスリンクを介して、１つまたは複数のネットワークと双方向に通信し得る。たとえば、トランシーバモジュール９３５は、基地局１０５または別のＵＥ１１５と双方向に通信し得る。トランシーバモジュール９３５は、パケットを変調し、被変調パケットを送信のためにアンテナ９４０に与え、アンテナ９４０から受信されたパケットを復調するためのモデムを含み得る。ＵＥ１１５−ｄは、単一のアンテナ９４０を含み得るが、ＵＥ１１５−ｄは、複数のワイヤレス送信を同時に送信または受信することが可能な複数のアンテナ９４０を有することもある。
【０１０２】
[0118]メモリ９１５は、ランダムアクセスメモリ（ＲＡＭ）と読取り専用メモリ（ＲＯＭ）とを含み得る。メモリ９１５は、実行されると、プロセッサモジュール９０５に本明細書で説明される様々な機能（たとえば、ＭＴＣデバイスのためのＰＵＣＣＨなど）を実行させる命令を含むコンピュータ可読、コンピュータ実行可能ソフトウェア／ファームウェアコード９２０を記憶し得る。代替的に、ソフトウェア／ファームウェアコード９２０は、プロセッサモジュール９０５によって直接実行可能ではないことがあるが、（たとえば、コンパイルされ実行されると）コンピュータに本明細書で説明される機能を実行させ得る。プロセッサモジュール９０５は、インテリジェントハードウェアデバイス（たとえば、中央処理ユニット（ＣＰＵ）、マイクロコントローラ、ＡＳＩＣなど）を含み得る。
【０１０３】
[0119]図１０は、本開示の様々な態様による、ＭＴＣデバイスを用いたＰＵＣＣＨのために構成された基地局１０５を含むシステム１０００の図を示す。システム１０００は、図１〜図８を参照しながら上記で説明されたように、ワイヤレスデバイス６００、ワイヤレスデバイス７００、または基地局１０５の一例であり得る、基地局１０５−ｄを含み得る。基地局１０５−ｄは、図７〜図９を参照しながら説明された基地局ＰＵＣＣＨモジュール１０１０の一例であり得る、基地局ＰＵＣＣＨモジュール１０１０を含み得る。基地局１０５−ｄはまた、通信を送信するための構成要素と通信を受信するための構成要素とを含む、双方向音声およびデータ通信のための構成要素を含み得る。たとえば、基地局１０５−ｄは、（ＭＴＣデバイスであり得る）ＵＥ１１５−ｆまたはＵＥ１１５−ｇと双方向に通信し得る。
【０１０４】
[0120]場合によっては、基地局１０５−ｄは、１つまたは複数のワイヤードバックホールリンクを有し得る。基地局１０５−ｄは、コアネットワーク１３０へのワイヤードバックホールリンク（たとえば、Ｓ１インターフェースなど）を有し得る。基地局１０５−ｄはまた、基地局間バックホールリンク（たとえば、Ｘ２インターフェース）を介して、基地局１０５−ｅおよび基地局１０５−ｆなどの他の基地局１０５と通信し得る。基地局１０５の各々は、同じまたは異なるワイヤレス通信技術を使用してＵＥ１１５と通信し得る。場合によっては、基地局１０５−ｄは、基地局通信モジュール１０２５を利用して１０５−ｅまたは１０５−ｆなどの他の基地局と通信し得る。いくつかの実施形態では、基地局通信モジュール１０２５は、基地局１０５のいくつかの間の通信を行うために、ＬＴＥ／ＬＴＥ−Ａワイヤレス通信ネットワーク技術内でＸ２インターフェースを提供し得る。いくつかの実施形態では、基地局１０５−ｄは、コアネットワーク１３０を通じて他の基地局と通信し得る。場合によっては、基地局１０５−ｄは、ネットワーク通信モジュール１０３０を通じてコアネットワーク１３０と通信し得る。
【０１０５】
[0121]基地局１０５−ｄは、プロセッサモジュール１００５と、メモリ１０１５（ソフトウェア（ＳＷ）１０２０を含む）と、トランシーバモジュール１０３５と、アンテナ１０４０とを含み得、それらはそれぞれ、直接または間接的に（たとえば、バスシステム１０４５を介して）互いと通信していることがある。トランシーバモジュール１０３５は、アンテナ１０４０を介して、マルチモードデバイスであり得るＵＥ１１５と双方向に通信するように構成され得る。トランシーバモジュール１０３５（または基地局１０５−ｄの他の構成要素）はまた、アンテナ１０４０を介して、１つまたは複数の他の基地局（図示せず）と双方向に通信するように構成され得る。トランシーバモジュール１０３５は、パケットを変調し、被変調パケットを送信のためにアンテナ１０４０に与え、アンテナ１０４０から受信されたパケットを復調するように構成されたモデムを含み得る。基地局１０５−ｄは、各々が１つまたは複数の関連するアンテナ１０４０を有する、複数のトランシーバモジュール１０３５を含み得る。トランシーバモジュールは、図６の組み合わされた受信機６０５および送信機６１５の一例であり得る。
【０１０６】
[0122]メモリ１０１５は、ＲＡＭとＲＯＭとを含み得る。メモリ１０１５はまた、実行されると、プロセッサモジュール１０１０に本明細書で説明される様々な機能（たとえば、ＭＴＣデバイスのためのＰＵＣＣＨ、カバレージ拡張技法を選択すること、呼処理、データベース管理、メッセージルーティングなど）を実行させるように構成された命令を含んでいるコンピュータ可読、コンピュータ実行可能ソフトウェアコード１０２０を記憶し得る。代替的に、ソフトウェア１０２０は、プロセッサモジュール１００５によって直接実行可能ではないことがあるが、たとえば、コンパイルされ実行されると、コンピュータに本明細書で説明される機能を実行させるように構成され得る。プロセッサモジュール１００５は、インテリジェントハードウェアデバイス、たとえば、ＣＰＵ、マイクロコントローラ、ＡＳＩＣなどを含み得る。プロセッサモジュール１００５は、エンコーダ、キュー処理モジュール、ベースバンドプロセッサ、無線ヘッドコントローラ、デジタル信号プロセッサ（ＤＳＰ）などの様々な専用プロセッサを含み得る。
【０１０７】
[0123]基地局通信モジュール１０２５は、他の基地局１０５との通信を管理し得る。通信管理モジュールは、他の基地局１０５と協働してＵＥ１１５との通信を制御するためのコントローラまたはスケジューラを含み得る。たとえば、基地局通信モジュール１０２５は、ビームフォーミングまたはジョイント送信などの様々な干渉緩和技法のためのＵＥ１１５への送信のためのスケジューリングを協調させ得る。
【０１０８】
[0124]図１１は、本開示の様々な態様による、ＭＴＣデバイスを用いたＰＵＣＣＨのための方法１１００を示すフローチャートを示す。方法１１００の動作は、図１〜図１０を参照しながら説明されたように、ワイヤレスデバイス（たとえば、ＵＥ１１５、ワイヤレスデバイス６００、またはワイヤレスデバイス７００）またはその構成要素によって実装され得る。たとえば、方法１１００の動作は、図６〜図９を参照しながら説明されたように、ＰＵＣＣＨモジュール６１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して以下で説明される機能態様を実行し得る。
【０１０９】
[0125]ブロック１１０５において、ワイヤレスデバイスは、図１〜図５を参照しながら上記で説明されたように、ＵＬ制御チャネルのＴＴＩバンドリングパラメータを識別し得る。いくつかの例では、ブロック１１０５の動作は、図７を参照しながら上記で説明されたように、バンドリングパラメータモジュール７０５によって実行され得る。
【０１１０】
[0126]ブロック１１１０において、ワイヤレスデバイスは、図１〜図５を参照しながら上記で説明されたように、ＴＴＩバンドリングパラメータに少なくとも部分的に基づいて、ＵＬ制御チャネルのための１つまたは複数のリソースを識別し得る。いくつかの例では、ブロック１１１０の動作は、図７を参照しながら上記で説明されたように、ＵＬ制御リソースモジュール７１０によって実行され得る。
【０１１１】
[0127]ブロック１１１５において、ワイヤレスデバイスは、図１〜図５を参照しながら上記で説明されたように、１つまたは複数のリソースを使用してＵＬ制御チャネルを送信し得る。いくつかの例では、ブロック１１１５の動作は、図６を参照しながら上記で説明されたように、送信機６１５によって実行され得る。
【０１１２】
[0128]図１２は、本開示の様々な態様による、ＭＴＣデバイスを用いたＰＵＣＣＨのための方法１２００を示すフローチャートを示す。方法１２００の動作は、図１〜図１０を参照しながら説明されたように、ワイヤレスデバイス（たとえば、基地局１０５、ワイヤレスデバイス６００、またはワイヤレスデバイス７００）またはその構成要素によって実装され得る。たとえば、方法１２００の動作は、図６〜図９を参照しながら説明されたように、ＰＵＣＣＨモジュール６１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して以下で説明される機能態様を実行し得る。方法１２００はまた、図１１の方法１１００の態様を組み込むことができる。
【０１１３】
[0129]ブロック１２０５において、ワイヤレスデバイスは、図１〜図５を参照しながら上記で説明されたように、ＵＬ制御チャネルのＴＴＩバンドリングパラメータを識別し得る。いくつかの例では、ブロック１２０５の動作は、図７を参照しながら上記で説明されたように、バンドリングパラメータモジュール７０５によって実行され得る。
【０１１４】
[0130]ブロック１２１０において、ワイヤレスデバイスは、図１〜図５を参照しながら上記で説明されたように、ＴＴＩバンドリングパラメータに少なくとも部分的に基づいて、ＵＬ制御チャネルのための１つまたは複数のリソースを識別し得る。いくつかの例では、ブロック１２１０の動作は、図７を参照しながら上記で説明されたように、ＵＬ制御リソースモジュール７１０によって実行され得る。
【０１１５】
[0131]ブロック１２１５において、ワイヤレスデバイスは、図１〜図５を参照しながら上記で説明されたように、１つまたは複数のリソースを使用してＵＬ制御チャネルを受信し得る。いくつかの例では、ブロック１２１５の動作は、図６を参照しながら上記で説明されたように、受信機６０５によって実行され得る。
【０１１６】
[0132]図１３は、本開示の様々な態様による、ＭＴＣデバイスを用いたＰＵＣＣＨのための方法１３００を示すフローチャートを示す。方法１３００の動作は、図１〜図１０を参照しながら説明されたように、ワイヤレスデバイス（たとえば、ＵＥ１１５、ワイヤレスデバイス６００またはワイヤレスデバイス７００）またはその構成要素によって実装され得る。たとえば、方法１３００の動作は、図６〜図９を参照しながら説明されたように、ＰＵＣＣＨモジュール６１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して以下で説明される機能態様を実行し得る。方法１３００はまた、図１１〜図１２の方法１１００および１２００の態様を組み込むことができる。
【０１１７】
[0133]ブロック１３０５において、ワイヤレスデバイスは、図１〜図５を参照しながら上記で説明されたように、ＵＬ制御チャネルのＴＴＩバンドリングパラメータを識別し得る。いくつかの例では、ブロック１３０５の動作は、図７を参照しながら上記で説明されたように、バンドリングパラメータモジュール７０５によって実行され得る。
【０１１８】
[0134]ブロック１３１０において、ワイヤレスデバイスは、図１〜図５を参照しながら上記で説明されたように、ＴＴＩバンドリングパラメータに少なくとも部分的に基づいて、ＵＬ制御チャネルのための１つまたは複数のリソースを識別し得る。たとえば、ワイヤレスデバイスは、図１〜図５を参照しながら上記で説明されたように、ＴＴＩバンドリングパラメータのための複数のリソースの構成を受信し得る。いくつかの例では、ブロック１３１０の動作は、図６を参照しながら上記で説明されたように、受信機６０５によって実行され得る。
【０１１９】
[0135]ブロック１３１５において、ワイヤレスデバイスは、図１〜図５を参照しながら上記で説明されたように、ＤＬ制御チャネルにおいて指示を受信し得る。いくつかの例では、ブロック１３１５の動作は、図６を参照しながら上記で説明されたように、受信機６０５によって実行され得る。
【０１２０】
[0136]ブロック１３２０において、ワイヤレスデバイスは、図１〜図５を参照しながら上記で説明されたように、指示に基づいて、ＴＴＩバンドリングパラメータのための構成された複数のリソースから１つのリソースを識別し得る。いくつかの例では、ブロック１３２０の動作は、図８を参照しながら上記で説明されたように、リソース選択モジュール８２０によって実行され得る。
【０１２１】
[0137]図１４は、本開示の様々な態様による、ＭＴＣデバイスを用いたＰＵＣＣＨのための方法１４００を示すフローチャートを示す。方法１４００の動作は、図１〜図１０を参照しながら説明されたように、ワイヤレスデバイス（たとえば、ＵＥ１１５、ワイヤレスデバイス６００またはワイヤレスデバイス７００）またはその構成要素によって実装され得る。たとえば、方法１４００の動作は、図６〜図９を参照しながら説明されたように、ＰＵＣＣＨモジュール６１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して以下で説明される機能態様を実行し得る。方法１４００はまた、図１１〜図１３の方法１１００、１２００、および１３００の態様を組み込むことができる。
【０１２２】
[0138]ブロック１４０５において、ワイヤレスデバイスは、図１〜図５を参照しながら上記で説明されたように、ＵＬ制御チャネルのＴＴＩバンドリングパラメータを識別し得る。いくつかの例では、ブロック１４０５の動作は、図７を参照しながら上記で説明されたように、バンドリングパラメータモジュール７０５によって実行され得る。
【０１２３】
[0139]ブロック１４１０において、ワイヤレスデバイスは、図１〜図５を参照しながら上記で説明されたように、ＴＴＩバンドリングパラメータに少なくとも部分的に基づいて、ＤＣＩフォーマットを識別し得る。いくつかの例では、ブロック１４１０の動作は、図８を参照しながら上記で説明されたように、ＤＣＩフォーマットモジュール８３０によって実行され得る。
【０１２４】
[0140]ブロック１４１５において、ワイヤレスデバイスは、図１〜図５を参照しながら上記で説明されたように、ＤＣＩフォーマットに少なくとも部分的に基づいて、ＤＬ制御チャネルを受信し得る。いくつかの例では、ブロック１４１５の動作は、図６を参照しながら上記で説明されたように、受信機６０５によって実行され得る。
【０１２５】
[0141]図１５は、本開示の様々な態様による、ＭＴＣデバイスを用いたＰＵＣＣＨのための方法１５００を示すフローチャートを示す。方法１５００の動作は、図１〜図１０を参照しながら説明されたように、ワイヤレスデバイス（たとえば、基地局１０５、ワイヤレスデバイス６００、またはワイヤレスデバイス７００）またはその構成要素によって実装され得る。たとえば、方法１５００の動作は、図６〜図９を参照しながら説明されたように、ＰＵＣＣＨモジュール６１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して以下で説明される機能態様を実行し得る。方法１５００はまた、図１１〜図１４の方法１１００、１２００、１３００、および１４００の態様を組み込むことができる。
【０１２６】
[0142]ブロック１５０５において、ワイヤレスデバイスは、図１〜図５を参照しながら上記で説明されたように、ＵＬ制御チャネルのＴＴＩバンドリングパラメータを識別し得る。いくつかの例では、ブロック１５０５の動作は、図７を参照しながら上記で説明されたように、バンドリングパラメータモジュール７０５によって実行され得る。
【０１２７】
[0143]ブロック１５１０において、ワイヤレスデバイスは、図１〜図５を参照しながら上記で説明されたように、ＴＴＩバンドリングパラメータに少なくとも部分的に基づいて、ＤＣＩフォーマットを識別し得る。いくつかの例では、ブロック１５１０の動作は、図８を参照しながら上記で説明されたように、ＤＣＩフォーマットモジュール８３０によって実行され得る。
【０１２８】
[0144]ブロック１５１５において、ワイヤレスデバイスは、図１〜図５を参照しながら上記で説明されたように、ＤＣＩフォーマットに少なくとも部分的に基づいて、ＤＬ制御チャネルを送信し得る。いくつかの例では、ブロック１５１５の動作は、図６を参照しながら上記で説明されたように、送信機６１５によって実行され得る。
【０１２９】
[0145]図１６は、本開示の様々な態様による、ＭＴＣデバイスを用いたＰＵＣＣＨのための方法１６００を示すフローチャートを示す。方法１６００の動作は、図１〜図１０を参照しながら説明されたように、ワイヤレスデバイス（たとえば、ＵＥ１１５、ワイヤレスデバイス６００、またはワイヤレスデバイス７００）またはその構成要素によって実装され得る。たとえば、方法１６００の動作は、図６〜図９を参照しながら説明されたように、ＰＵＣＣＨモジュール６１０によって実行され得る。いくつかの例では、ワイヤレスデバイスは、以下で説明される機能を実行するようにワイヤレスデバイスの機能要素を制御するためのコードのセットを実行し得る。追加または代替として、ワイヤレスデバイスは、専用ハードウェアを使用して以下で説明される機能態様を実行し得る。方法１６００はまた、図１１〜図１５の方法１１００、１２００、１３００、１４００、および１５００の態様を組み込むことができる。
【０１３０】
[0146]ブロック１６０５において、ワイヤレスデバイスは、図１〜図５を参照しながら上記で説明されたように、ＵＬ制御チャネルのＴＴＩバンドリングパラメータを識別し得る。ＴＴＩバンドリングパラメータは、ＭＣＳ情報フィールドに対応し得、ここにおいて、ＤＣＩフォーマットは、ＭＣＳ情報フィールドに少なくとも部分的に基づく。たとえば、ワイヤレスデバイスは、第１のＴＴＩバンドリング長を決定し得る。いくつかの例では、ブロック１６０５の動作は、図７を参照しながら上記で説明されたように、バンドリングパラメータモジュール７０５によって実行され得る。
【０１３１】
[0147]ブロック１６１０において、ワイヤレスデバイスは、図１〜図５を参照しながら上記で説明されたように、ＴＴＩバンドリングパラメータに少なくとも部分的に基づいて、ＤＣＩフォーマットを識別し得る。たとえば、ワイヤレスデバイスは、図１〜図５を参照しながら上記で説明されたように、第１のＴＴＩバンドリング長に基づいて、ＭＣＳ情報フィールドの第１の長さを決定し得る。いくつかの例では、ブロック１６１０の動作は、図８を参照しながら上記で説明されたように、ＭＣＳ情報フィールドモジュール８４０によって実行され得る。
【０１３２】
[0148]ブロック１６１５において、ワイヤレスデバイスは、図１〜図５を参照しながら上記で説明されたように、第２のＴＴＩバンドリング長を決定し得、ここで、第２のＴＴＩバンドリング長は、第１のＴＴＩバンドリング長よりも大きい。いくつかの例では、ブロック１６１５の動作は、図７を参照しながら上記で説明されたように、バンドリングパラメータモジュール７０５によって実行され得る。
【０１３３】
[0149]ブロック１６２０において、ワイヤレスデバイスは、図１〜図５を参照しながら上記で説明されたように、第２のＴＴＩバンドリング長に基づいて、ＭＣＳ情報フィールドの第２の長さを決定し得、ここで、ＭＣＳ情報フィールドの第２の長さは、ＭＣＳ情報フィールドの第１の長さよりも小さい。いくつかの例では、ブロック１６２０の動作は、図８を参照しながら上記で説明されたように、ＭＣＳ情報フィールドモジュール８４０によって実行され得る。
【０１３４】
[0150]このようにして、方法１１００、１２００、１３００、１４００、１５００、および１６００は、ＭＴＣデバイスを用いたＰＵＣＣＨを提供し得る。方法１１００、１２００、１３００、１４００、１５００、および１６００は可能な実装形態について説明していることと、動作およびステップは、他の実装形態が可能であるように、並べ替えられるかまたは場合によっては修正され得ることとに留意されたい。いくつかの例では、方法１１００、１２００、１３００、１４００、１５００、および１６００のうちの２つ以上からの態様が組み合わされ得る。
【０１３５】
[0151]添付の図面に関して上記に記載した詳細な説明は、例示的な実施形態について説明しており、実装され得るまたは特許請求の範囲内に入るすべての実施形態を表すとは限らない。本明細書全体にわたって使用される「例示的」という用語は、「例、事例、または例示の働きをすること」を意味し、「好ましい」または「他の実施形態よりも有利な」を意味しない。発明を実施するための形態は、説明された技法の理解を与えるための具体的な詳細を含む。しかしながら、これらの技法は、これらの具体的な詳細なしに実践され得る。場合によっては、説明された実施形態の概念を不明瞭にすることを回避するために、よく知られている構造およびデバイスはブロック図の形態で示されている。
【０１３６】
[0152]情報および信号は、様々な異なる技術および技法のいずれかを使用して表され得る。たとえば、上記の説明全体にわたって言及され得るデータ、命令、コマンド、情報、信号、ビット、シンボル、およびチップは、電圧、電流、電磁波、磁場もしくは磁性粒子、光場もしくは光学粒子、またはそれらの任意の組合せによって表され得る。
【０１３７】
[0153]本明細書の本開示に関して説明される様々な例示的なブロックおよびモジュールは、汎用プロセッサ、ＤＳＰ、ＡＳＩＣ、ＦＰＧＡもしくは他のプログラマブル論理デバイス、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ（たとえば、ＤＳＰとマイクロプロセッサの組合せ、複数のマイクロプロセッサ、ＤＳＰコアと連携する１つもしくは複数のマイクロプロセッサ、または任意の他のそのような構成）として実装され得る。
【０１３８】
[0154]本明細書で説明される機能は、ハードウェア、プロセッサによって実行されるソフトウェア、ファームウェア、またはそれらの任意の組合せにおいて実装され得る。プロセッサによって実行されるソフトウェアにおいて実装される場合、機能は、１つまたは複数の命令またはコードオンとしてコンピュータ可読媒体上に記憶されるか、またはコンピュータ可読媒体を介して送信され得る。他の例および実装形態は、本開示の範囲内および添付の特許請求の範囲内に入る。たとえば、ソフトウェアの性質により、上記で説明された機能は、プロセッサによって実行されるソフトウェア、ハードウェア、ファームウェア、ハードワイヤリング、またはこれらのうちのいずれかの組合せを使用して実装され得る。機能を実装する特徴はまた、機能の部分が異なる物理ロケーションにおいて実装されるように分散されることを含めて、様々な位置に物理的に配置され得る。また、特許請求の範囲を含めて、本明細書で使用される場合、項目の列挙（たとえば、「のうちの少なくとも１つ」または「のうちの１つまたは複数」などの句で終わる項目の列挙）中で使用される「または」は、たとえば、［Ａ、Ｂ、またはＣのうちの少なくとも１つ］の列挙が、ＡまたはＢまたはＣまたはＡＢまたはＡＣまたはＢＣまたはＡＢＣ（すなわち、ＡおよびＢおよびＣ）を意味するような包括的列挙を示す。
【０１３９】
[0155]コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭもしくは他の光ディスクストレージ、磁気ディスクストレージもしくは他の磁気ストレージデバイス、または命令もしくはデータ構造の形態の所望のプログラムコード手段を搬送もしくは記憶するために使用され得、汎用もしくは専用コンピュータまたは汎用もしくは専用プロセッサによってアクセスされ得る任意の他の非一時的媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用してウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は通常、データを磁気的に再生し、ディスク（disc）は、レーザーを用いてデータを光学的に再生する。上記の組合せも、コンピュータ可読媒体の範囲内に含まれる。
【０１４０】
[0156]本開示の前述の説明は、当業者が本開示を作成または使用することができるように与えられる。本開示への様々な修正は、当業者には容易に明らかとなり、本明細書で定義された一般原理は、本開示の範囲から逸脱することなく他の変形形態に適用され得る。したがって、本開示は、本明細書で説明される例および設計に限定されるべきではなく、本明細書で開示される原理および新規の特徴に一致する最も広い範囲を与えられるべきである。
【０１４１】
[0157]本明細書で説明される技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上述のシステムおよび無線技術ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
【図１】
2020195156.tif 000003
【図２】
2020195156.tif 000004
【図３】
2020195156.tif 000005
【図４】
2020195156.tif 000006
【図５】
2020195156.tif 000007
【図６】
2020195156.tif 000008
【図７】
2020195156.tif 000009
【図８】
2020195156.tif 000010
【図９】
2020195156.tif 000011
【図１０】
2020195156.tif 000012
【図１１】
2020195156.tif 000013
【図１２】
2020195156.tif 000014
【図１３】
2020195156.tif 000015
【図１４】
2020195156.tif 000016
【図１５】
2020195156.tif 000017
【図１６】
2020195156.tif 000018
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
前記ＵＥのためのカバレージ拡張（ＣＥ）レベルの指示を受信することと、
前記指示に少なくとも部分的に基づいて、複数のダウンリンク制御情報（ＤＣＩ）フォーマットのうちの1つのＤＣＩフォーマットを識別すること、前記複数のＤＣＩフォーマットは、
第1のＣＥレベルに対応する第１のＤＣＩフォーマット、ここにおいて、前記第１のＤＣＩフォーマットは、ＤＣＩを搬送するための第１の構成を示し、第１の長さを有する第１のリソース割振りフィールドを備える、と
前記第１のＤＣＩフォーマットと比較してＤＣＩを搬送するための異なる構成を示し、前記第１の長さとは異なる第２の長さを有する第２のリソース割振りフィールドを備える第２のＣＥレベルに対応する第２のＤＣＩフォーマット、と
第３のＣＥレベルに対応する第３のＤＣＩフォーマット、ここにおいて、前記第３のＣＥレベルは、カバレージ拡張の欠如を示し、ＤＣＩを搬送するための第３の構成を示し、第３の長さを有する第３のリソース割振りフィールドを備える、と
を備える、と、
ダウンリンク制御チャネル上で、前記識別されたＤＣＩフォーマットに従ってリソース割振りフィールドを備えるＤＣＩを受信することと
を備える、方法。
【請求項２】
前記ＣＥレベルは、リソース割振り粒度レベルに対応し、前記識別されたＤＣＩフォーマットは、前記リソース割振り粒度レベルに少なくとも部分的に基づく、請求項１に記載の方法。
【請求項３】
前記ＣＥレベルは、変調およびコーディング方式（ＭＣＳ）情報フィールドに対応し、前記識別されたＤＣＩフォーマットは、前記ＭＣＳ情報フィールドに少なくとも部分的に基づく、請求項１に記載の方法。
【請求項４】
第１の送信時間間隔（ＴＴＩ）バンドリング長を決定することと、
前記第１のＴＴＩバンドリング長に基づいて、前記第１のＤＣＩフォーマットの第１のＭＣＳ情報フィールドの第１の長さを決定することと、
第２のＴＴＩバンドリング長を決定すること、ここで、前記第２のＴＴＩバンドリング長は、前記第１のＴＴＩバンドリング長よりも大きい、と
前記第２のＴＴＩバンドリング長に基づいて、前記第２のＤＣＩフォーマットの第２のＭＣＳ情報フィールドの第２の長さを決定すること、ここで、前記第２のＭＣＳ情報フィールドの前記第２の長さは、前記第１のＭＣＳ情報フィールドの前記第１の長さよりも小さい、と
をさらに備える、請求項１に記載の方法。
【請求項５】
ユーザ機器（ＵＥ）におけるワイヤレス通信のための装置であって、
プロセッサと、
前記プロセッサと電子通信しているメモリと、
前記メモリに記憶された命令とを備え、前記メモリは、
前記ＵＥのためのカバレージ拡張（ＣＥ）レベルの指示を受信することと、
前記指示に少なくとも部分的に基づいて、複数のダウンリンク制御情報（ＤＣＩ）フォーマットのうちの1つのＤＣＩフォーマットを識別すること、前記複数のＤＣＩフォーマットは、
第1のＣＥレベルに対応する第１のＤＣＩフォーマット、ここにおいて、前記第１のＤＣＩフォーマットは、ＤＣＩを搬送するための第１の構成を示し、第１の長さを有する第１のリソース割振りフィールドを備える、と
前記第１のＤＣＩフォーマットと比較してＤＣＩを搬送するための異なる構成を示し、前記第１の長さとは異なる第２の長さを有する第２のリソース割振りフィールドを備える第２のＣＥレベルに対応する第２のＤＣＩフォーマット、と
第３のＣＥレベルに対応する第３のＤＣＩフォーマット、ここにおいて、前記第３のＣＥレベルは、カバレージ拡張の欠如を示し、ＤＣＩを搬送するための第３の構成を示し、第３の長さを有する第３のリソース割振りフィールドを備える、と
を備える、と、
ダウンリンク制御チャネル上で、前記識別されたＤＣＩフォーマットに従ってリソース割振りフィールドを備えるＤＣＩを受信することと
を行うように前記プロセッサによって実行可能である、装置。
【請求項６】
前記ＣＥレベルは、リソース割振り粒度レベルに対応し、前記識別されたＤＣＩフォーマットは、前記リソース割振り粒度レベルに少なくとも部分的に基づく、請求項５に記載の装置。
【請求項７】
前記ＣＥレベルは、変調およびコーディング方式（ＭＣＳ）情報フィールドに対応し、前記識別されたＤＣＩフォーマットは、前記ＭＣＳ情報フィールドに少なくとも部分的に基づく、請求項５に記載の装置。
【請求項８】
前記命令は、
第１の送信時間間隔（ＴＴＩ）バンドリング長を決定することと、
前記第１のＴＴＩバンドリング長に基づいて、前記第１のＤＣＩフォーマットの第１のＭＣＳ情報フィールドの第１の長さを決定すること、と
第２のＴＴＩバンドリング長を決定すること、ここで、前記第２のＴＴＩバンドリング長は、前記第１のＴＴＩバンドリング長よりも大きい、と
前記第２のＴＴＩバンドリング長に基づいて、前記第２のＤＣＩフォーマットの第２のＭＣＳ情報フィールドの第２の長さを決定すること、ここで、前記第２のＭＣＳ情報フィールドの前記第２の長さは、前記第１のＭＣＳ情報フィールドの前記第１の長さよりも小さい、と
を行うように前記プロセッサによって実行可能である、請求項５に記載の装置。
【請求項９】
前記ＣＥレベルは、送信時間間隔（ＴＴＩ）バンドリングレベルを備える、請求項１に記載の方法。
【請求項１０】
前記ＣＥレベルは、送信時間間隔（ＴＴＩ）バンドリングレベルを備える、請求項５に記載の装置。
【請求項１１】
前記第１のＤＣＩフォーマット及び前記第１のＣＥレベルと前記第２のＤＣＩフォーマット及び前記第２のＣＥレベルとの間の対応関係を決定することをさらに備え、前記第１のＤＣＩフォーマットまたは前記第２のＤＣＩフォーマットのうちの１つは、前記対応関係に少なくとも部分的に基づいて識別される、請求項１に記載の方法。
【請求項１２】
前記命令は、
前記第１のＤＣＩフォーマット及び前記第１のＣＥレベルと前記第２のＤＣＩフォーマット及び前記第２のＣＥレベルとの間の対応関係を決定ように前記プロセッサによって実行可能であり、前記第１のＤＣＩフォーマットまたは前記第２のＤＣＩフォーマットのうちの１つは、前記対応関係に少なくとも部分的に基づいて識別される、請求項５に記載の装置。
【請求項１３】
前記ＵＥにおいて、前記ＵＥのための前記ＣＥレベルの前記指示に少なくとも部分的に基づいて、前記第１のＣＥレベルを構成することをさらに備え、前記第１のＤＣＩフォーマットは、前記第１のＣＥレベルが前記ＵＥにおいて構成されることに少なくとも部分的に基づいて識別され、前記第１の長さの前記リソース割振りフィールドを備えるＤＣＩは、前記識別することに少なくとも部分的に基づいて、前記第１のＤＣＩフォーマットに従って受信される、請求項１に記載の方法。
【請求項１４】
前記識別することは、
前記ＵＥのための前記ＣＥレベルの前記指示が前記第１のＣＥレベルを示すときに、前記第１のＤＣＩフォーマットを識別すること、ここにおいて、前記第１の長さの前記リソース割振りフィールドを備えるＤＣＩは、前記第１のＤＣＩフォーマットを識別することに少なくとも部分的に基づいて、前記第１のＤＣＩフォーマットに従って受信される、と、
前記ＵＥのための前記ＣＥレベルの前記指示が前記第２のＣＥレベルを示すときに、前記第２のＤＣＩフォーマットを識別すること、ここにおいて、前記第２の長さの前記リソース割振りフィールドを備えるＤＣＩは、前記第２のＤＣＩフォーマットを識別することに少なくとも部分的に基づいて、前記第２のＤＣＩフォーマットに従って受信される、と、
を備える、請求項１に記載の方法。
【請求項１５】
前記第１のＣＥレベルは、第１のリソース割振り粒度レベルに対応し、前記第１のＤＣＩフォーマットの前記第１のリソース割振りフィールドは、前記第１のリソース割振り粒度レベルに少なくとも部分的に基づいて、第１のリソース割振りを示すための第１の数のビットを備え、
前記第２のＣＥレベルは、第２のリソース割振り粒度レベルに対応し、前記第２のＤＣＩフォーマットの前記第２のリソース割振りフィールドは、前記第２のリソース割振り粒度レベルに少なくとも部分的に基づいて、第２のリソース割振りを示すための、前記第１の数のビットより少ない第２の数のビットを備える、
請求項１に記載の方法。
【請求項１６】
前記第１のＤＣＩフォーマットまたは前記第２のＤＣＩフォーマットのうちの１つを識別するための前記命令は、
前記ＵＥのための前記ＣＥレベルの前記指示が前記第１のＣＥレベルを示すときに、前記第１のＤＣＩフォーマットを識別すること、ここにおいて、前記第１の長さの前記リソース割振りフィールドを備えるＤＣＩは、前記第１のＤＣＩフォーマットを識別することに少なくとも部分的に基づいて、前記第１のＤＣＩフォーマットに従って受信される、と、
前記ＵＥのための前記ＣＥレベルの前記指示が前記第２のＣＥレベルを示すときに、前記第２のＤＣＩフォーマットを識別すること、ここにおいて、前記第２の長さの前記リソース割振りフィールドを備えるＤＣＩは、前記第２のＤＣＩフォーマットを識別することに少なくとも部分的に基づいて、前記第２のＤＣＩフォーマットに従って受信される、と、
を行うように前記プロセッサによって実行可能である、請求項５に記載の装置。
【請求項１７】
前記第１のＣＥレベルは、第１のリソース割振り粒度レベルに対応し、前記第１のＤＣＩフォーマットの前記第１のリソース割振りフィールドは、前記第１のリソース割振り粒度レベルに少なくとも部分的に基づいて、第１のリソース割振りを示すための第１の数のビットを備え、
前記第２のＣＥレベルは、第２のリソース割振り粒度レベルに対応し、前記第２のＤＣＩフォーマットの前記第２のリソース割振りフィールドは、前記第２のリソース割振り粒度レベルに少なくとも部分的に基づいて、第２のリソース割振りを示すための、前記第１の数のビットより少ない第２の数のビットを備える、
請求項５に記載の装置。
【請求項１８】
ユーザ機器（ＵＥ）における装置であって、
前記ＵＥのためのカバレージ拡張（ＣＥ）レベルの指示を受信するための手段と、
前記指示に少なくとも部分的に基づいて、複数のダウンリンク制御情報（ＤＣＩ）フォーマットのうちの1つのＤＣＩフォーマットを識別するための手段、前記複数のＤＣＩフォーマットは、
第1のＣＥレベルに対応する第１のＤＣＩフォーマット、ここにおいて、前記第１のＤＣＩフォーマットは、ＤＣＩを搬送するための第１の構成を示し、第１の長さを有する第１のリソース割振りフィールドを備える、と
前記第１のＤＣＩフォーマットと比較してＤＣＩを搬送するための異なる構成を示し、前記第１の長さとは異なる第２の長さを有する第２のリソース割振りフィールドを備える第２のＣＥレベルに対応する第２のＤＣＩフォーマット、と
第３のＣＥレベルに対応する第３のＤＣＩフォーマット、ここにおいて、前記第３のＣＥレベルは、カバレージ拡張の欠如を示し、ＤＣＩを搬送するための第３の構成を示し、第３の長さを有する第３のリソース割振りフィールドを備える、と
を備える、と、
ダウンリンク制御チャネル上で、前記識別されたＤＣＩフォーマットに従ってリソース割振りフィールドを備えるＤＣＩを受信するための手段と
を備える、装置。
【請求項１９】
前記ＣＥレベルは、リソース割振り粒度レベルに対応し、前記識別されたＤＣＩフォーマットは、前記リソース割振り粒度レベルに少なくとも部分的に基づく、請求項１８に記載の装置。
【請求項２０】
前記第１のＣＥレベルは、第１のリソース割振り粒度レベルに対応し、前記第１のＤＣＩフォーマットの前記リソース割振りフィールドは、前記第１のリソース割振り粒度レベルに少なくとも部分的に基づいて、第１のリソース割振りを示すための第１の数のビットを備え、
前記第２のＣＥレベルは、第２のリソース割振り粒度レベルに対応し、前記第２のＤＣＩフォーマットの前記リソース割振りフィールドは、前記第２のリソース割振り粒度レベルに少なくとも部分的に基づいて、第２のリソース割振りを示すための、前記第１の数のビットより少ない第２の数のビットを備える、
請求項１８に記載の装置。
【請求項２１】
前記ＣＥレベルは、変調およびコーディング方式（ＭＣＳ）情報フィールドに対応し、前記識別されたＤＣＩフォーマットは、前記ＭＣＳ情報フィールドに少なくとも部分的に基づく、請求項１８に記載の装置。
【請求項２２】
第１の送信時間間隔（ＴＴＩ）バンドリング長を決定するための手段と、
前記第１のＴＴＩバンドリング長に基づいて、前記第１のＤＣＩフォーマットの第１のＭＣＳ情報フィールドの第１の長さを決定するための手段と、
第２のＴＴＩバンドリング長を決定するための手段、ここで、前記第２のＴＴＩバンドリング長は、前記第１のＴＴＩバンドリング長よりも大きい、と
前記第２のＴＴＩバンドリング長に基づいて、前記第２のＤＣＩフォーマットの第２のＭＣＳ情報フィールドの第２の長さを決定するための手段、ここで、前記第２のＭＣＳ情報フィールドの前記第２の長さは、前記第１のＭＣＳ情報フィールドの前記第１の長さよりも小さい、と
をさらに備える、請求項１８に記載の装置。
【請求項２３】
識別するための前記手段は、
前記ＵＥのための前記ＣＥレベルの前記指示が前記第１のＣＥレベルを示すときに、前記第１のＤＣＩフォーマットを識別するための手段、ここにおいて、前記第１の長さの前記リソース割振りフィールドを備えるＤＣＩは、前記第１のＤＣＩフォーマットを識別することに少なくとも部分的に基づいて、前記第１のＤＣＩフォーマットに従って受信される、と、
前記ＵＥのための前記ＣＥレベルの前記指示が前記第２のＣＥレベルを示すときに、前記第２のＤＣＩフォーマットを識別するための手段、ここにおいて、前記第２の長さの前記リソース割振りフィールドを備えるＤＣＩは、前記第２のＤＣＩフォーマットを識別することに少なくとも部分的に基づいて、前記第２のＤＣＩフォーマットに従って受信される、と、
を備える、請求項１８に記載の装置。
【請求項２４】
ユーザ機器（ＵＥ）におけるワイヤレス通信のためのコンピュータ実行可能コードを記憶する非一時的コンピュータ可読媒体であって、前記コードは、
前記ＵＥのためのカバレージ拡張（ＣＥ）レベルの指示を受信することと、
前記指示に少なくとも部分的に基づいて、複数のダウンリンク制御情報（ＤＣＩ）フォーマットのうちの1つのＤＣＩフォーマットを識別すること、前記複数のＤＣＩフォーマットは、
第1のＣＥレベルに対応する第１のＤＣＩフォーマット、ここにおいて、前記第１のＤＣＩフォーマットは、ＤＣＩを搬送するための第１の構成を示し、第１の長さを有する第１のリソース割振りフィールドを備える、と
前記第１のＤＣＩフォーマットと比較してＤＣＩを搬送するための異なる構成を示し、前記第１の長さとは異なる第２の長さを有する第２のリソース割振りフィールドを備える第２のＣＥレベルに対応する第２のＤＣＩフォーマット、と
第３のＣＥレベルに対応する第３のＤＣＩフォーマット、ここにおいて、前記第３のＣＥレベルは、カバレージ拡張の欠如を示し、ＤＣＩを搬送するための第３の構成を示し、第３の長さを有する第３のリソース割振りフィールドを備える、と
を備える、と、
ダウンリンク制御チャネル上で、前記識別されたＤＣＩフォーマットに従ってリソース割振りフィールドを備えるＤＣＩを受信することと
を行うようにプロセッサによって実行可能である、非一時的コンピュータ可読媒体。
【請求項２５】
前記ＣＥレベルは、リソース割振り粒度レベルに対応し、前記識別されたＤＣＩフォーマットは、前記リソース割振り粒度レベルに少なくとも部分的に基づく、請求項２４に記載の非一時的コンピュータ可読媒体。
【請求項２６】
前記第１のＣＥレベルは、第１のリソース割振り粒度レベルに対応し、前記第１のＤＣＩフォーマットの前記リソース割振りフィールドは、前記第１のリソース割振り粒度レベルに少なくとも部分的に基づいて、第１のリソース割振りを示すための第１の数のビットを備え、
前記第２のＣＥレベルは、第２のリソース割振り粒度レベルに対応し、前記第２のＤＣＩフォーマットの前記リソース割振りフィールドは、前記第２のリソース割振り粒度レベルに少なくとも部分的に基づいて、第２のリソース割振りを示すための、前記第１の数のビットより少ない第２の数のビットを備える、
請求項２４に記載の非一時的コンピュータ可読媒体。
【請求項２７】
前記ＣＥレベルは、変調およびコーディング方式（ＭＣＳ）情報フィールドに対応し、前記識別されたＤＣＩフォーマットは、前記ＭＣＳ情報フィールドに少なくとも部分的に基づく、請求項２４に記載の非一時的コンピュータ可読媒体。
【請求項２８】
前記コードは、
第１の送信時間間隔（ＴＴＩ）バンドリング長を決定することと、
前記第１のＴＴＩバンドリング長に基づいて、前記第１のＤＣＩフォーマットの第１のＭＣＳ情報フィールドの第１の長さを決定することと、
第２のＴＴＩバンドリング長を決定すること、ここで、前記第２のＴＴＩバンドリング長は、前記第１のＴＴＩバンドリング長よりも大きい、と
前記第２のＴＴＩバンドリング長に基づいて、前記第２のＤＣＩフォーマットの第２のＭＣＳ情報フィールドの第２の長さを決定すること、ここで、前記第２のＭＣＳ情報フィールドの前記第２の長さは、前記第１のＭＣＳ情報フィールドの前記第１の長さよりも小さい、と
を行うように前記プロセッサによって実行可能である、請求項２４に記載の非一時的コンピュータ可読媒体。
【手続補正２】
【補正対象書類名】明細書
【補正対象項目名】０１４１
【補正方法】変更
【補正の内容】
【０１４１】
[0157]本明細書で説明される技法は、符号分割多元接続（ＣＤＭＡ）、時分割多元接続（ＴＤＭＡ）、周波数分割多元接続（ＦＤＭＡ）、ＯＦＤＭＡ、ＳＣ−ＦＤＭＡ、および他のシステムなどの様々なワイヤレス通信システムに使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実装し得る。ＣＤＭＡ２０００は、ＩＳ−２０００規格と、ＩＳ−９５規格と、ＩＳ−８５６規格とをカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））とＣＤＭＡの他の変形態とを含む。ＴＤＭＡシステムは、モバイル通信用グローバルシステム（ＧＳＭ（登録商標））などの無線技術を実装し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭなどの無線技術を実装し得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するユニバーサルモバイルテレコミュニケーションシステム（ＵＭＴＳ）の新しいリリースである。ＵＴＲＡ、Ｅ−ＵＴＲＡ、ＵＭＴＳ、ＬＴＥ、ＬＴＥ−Ａ、およびモバイル通信用グローバルシステム（ＧＳＭ）は、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明される技法は、上述のシステムおよび無線技術ならびに他のシステムおよび無線技術に使用され得る。ただし、上記の説明では、例としてＬＴＥシステムについて説明し、上記の説明の大部分においてＬＴＥ用語が使用されるが、本技法はＬＴＥ適用例以外に適用可能である。
以下に本願の出願当初の特許請求の範囲に記載された発明を付記する。
［Ｃ１］
ワイヤレスデバイスにおけるワイヤレス通信の方法であって、
アップリンク（ＵＬ）制御チャネルの送信時間間隔（ＴＴＩ）バンドリングパラメータを識別することと、
前記ＴＴＩバンドリングパラメータに少なくとも部分的に基づいて、前記ＵＬ制御チャネルのための１つまたは複数のリソースを識別することと
を備える方法。
［Ｃ２］
前記１つまたは複数のリソースを使用して前記ＵＬ制御チャネルを送信すること
をさらに備える、Ｃ１に記載の方法。
［Ｃ３］
前記１つまたは複数のリソースを使用して前記ＵＬ制御チャネルを受信すること
をさらに備える、Ｃ１に記載の方法。
［Ｃ４］
前記１つまたは複数のリソースを識別することが、
暗黙的リソース割振りに基づいて、前記１つまたは複数のリソースを識別すること
をさらに備える、Ｃ１に記載の方法。
［Ｃ５］
前記暗黙的リソース割振りが、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく、Ｃ４に記載の方法。
［Ｃ６］
リソースオフセットのセットとＴＴＩバンドリングパラメータのセットとの間の対応関係を決定することと、ここにおいて、前記ＴＴＩバンドリングパラメータのセットは、前記ＵＬ制御チャネルの前記ＴＴＩバンドリングパラメータを備える、
前記ＴＴＩバンドリングパラメータと前記対応関係とに少なくとも部分的に基づいて、前記リソースオフセットのセットからリソースオフセットを選択することと
をさらに備える、Ｃ１に記載の方法。
［Ｃ７］
前記ＴＴＩバンドリングパラメータに対応するリソースオフセットを示す構成を受信すること、ここにおいて、前記１つまたは複数のリソースを識別することは、前記リソースオフセットに基づく、
をさらに備える、Ｃ１に記載の方法。
［Ｃ８］
前記１つまたは複数のリソースを識別することが、
ワイヤレスノードから前記１つまたは複数のリソースの指示を受信すること
をさらに備える、Ｃ１に記載の方法。
［Ｃ９］
前記ＴＴＩバンドリングパラメータのための複数のリソースの構成を受信することと、
ダウンリンク（ＤＬ）制御チャネルにおいて指示を受信することと、
前記指示に基づいて、前記ＴＴＩバンドリングパラメータのための前記構成された複数のリソースから１つのリソースを識別することと
をさらに備える、Ｃ１に記載の方法。
［Ｃ１０］
ワイヤレスデバイスにおけるワイヤレス通信の方法であって、
アップリンク（ＵＬ）制御チャネルのＴＴＩバンドリングパラメータを識別することと、
前記ＴＴＩバンドリングパラメータに少なくとも部分的に基づいて、ダウンリンク制御情報（ＤＣＩ）フォーマットを識別することと
を備える方法。
［Ｃ１１］
前記ＤＣＩフォーマットに少なくとも部分的に基づいて、ＤＬ制御チャネルを受信すること
をさらに備える、Ｃ１０に記載の方法。
［Ｃ１２］
前記ＤＣＩフォーマットに少なくとも部分的に基づいて、ＤＬ制御チャネルを送信すること
をさらに備える、Ｃ１０に記載の方法。
［Ｃ１３］
前記ＴＴＩバンドリングパラメータは、リソース割振り粒度レベルに対応し、ここにおいて、前記ＤＣＩフォーマットは、前記リソース割振り粒度レベルに少なくとも部分的に基づく、Ｃ１０に記載の方法。
［Ｃ１４］
前記ＴＴＩバンドリングパラメータは、変調およびコーディング方式（ＭＣＳ）情報フィールドに対応し、ここにおいて、前記ＤＣＩフォーマットは、前記ＭＣＳ情報フィールドに少なくとも部分的に基づく、Ｃ１０に記載の方法。
［Ｃ１５］
第１のＴＴＩバンドリング長を決定することと、
前記第１のＴＴＩバンドリング長に基づいて、前記ＭＣＳ情報フィールドの第１の長さを決定することと、
第２のＴＴＩバンドリング長を決定することと、ここで、前記第２のＴＴＩバンドリング長は、前記第１のＴＴＩバンドリング長よりも大きい、
前記第２のＴＴＩバンドリング長に基づいて、前記ＭＣＳ情報フィールドの第２の長さを決定することと、ここで、前記ＭＣＳ情報フィールドの前記第２の長さは、前記ＭＣＳ情報フィールドの前記第１の長さよりも小さい、
をさらに備える、Ｃ１４に記載の方法。
［Ｃ１６］
ワイヤレスデバイスにおけるワイヤレス通信のための装置であって、
アップリンク（ＵＬ）制御チャネルの送信時間間隔（ＴＴＩ）バンドリングパラメータを識別するための手段と、
前記ＴＴＩバンドリングパラメータに少なくとも部分的に基づいて、前記ＵＬ制御チャネルのための１つまたは複数のリソースを識別するための手段と
を備える装置。
［Ｃ１７］
前記１つまたは複数のリソースを使用して前記ＵＬ制御チャネルを送信するための手段をさらに備える、Ｃ１６に記載の装置。
［Ｃ１８］
前記１つまたは複数のリソースを使用して前記ＵＬ制御チャネルを受信するための手段をさらに備える、Ｃ１６に記載の装置。
［Ｃ１９］
前記１つまたは複数のリソースを識別するための前記手段が、
暗黙的リソース割振りに基づいて、前記１つまたは複数のリソースを識別するための手段
をさらに備える、Ｃ１６に記載の装置。
［Ｃ２０］
前記暗黙的リソース割振りが、物理ダウンリンク制御チャネル（ＰＤＣＣＨ）リソースまたは物理ダウンリンク共有チャネル（ＰＤＳＣＨ）リソースのうちの少なくとも１つに少なくとも部分的に基づく、Ｃ１９に記載の装置。
［Ｃ２１］
リソースオフセットのセットとＴＴＩバンドリングパラメータのセットとの間の対応関係を決定するための手段と、ここにおいて、前記ＴＴＩバンドリングパラメータのセットは、前記ＵＬ制御チャネルの前記ＴＴＩバンドリングパラメータを備える、
前記ＴＴＩバンドリングパラメータと前記対応関係とに少なくとも部分的に基づいて、前記リソースオフセットのセットからリソースオフセットを選択するための手段と
をさらに備える、Ｃ１６に記載の装置。
［Ｃ２２］
前記ＴＴＩバンドリングパラメータに対応するリソースオフセットを示す構成を受信するための手段、ここにおいて、前記１つまたは複数のリソースを識別することは、前記リソースオフセットに基づく、
をさらに備える、Ｃ１６に記載の装置。
［Ｃ２３］
前記１つまたは複数のリソースを識別するための前記手段が、
ワイヤレスノードから前記１つまたは複数のリソースの指示を受信するための手段
をさらに備える、Ｃ１６に記載の装置。
［Ｃ２４］
前記ＴＴＩバンドリングパラメータのための複数のリソースの構成を受信するための手段と、
ダウンリンク（ＤＬ）制御チャネルにおいて指示を受信するための手段と、
前記指示に基づいて、前記ＴＴＩバンドリングパラメータのための前記構成された複数のリソースから１つのリソースを識別するための手段と
をさらに備える、Ｃ１６に記載の装置。
［Ｃ２５］
ワイヤレスデバイスにおけるワイヤレス通信のための装置であって、
アップリンク（ＵＬ）制御チャネルのＴＴＩバンドリングパラメータを識別するための手段と、
前記ＴＴＩバンドリングパラメータに少なくとも部分的に基づいて、ダウンリンク制御情報（ＤＣＩ）フォーマットを識別するための手段と
を備える装置。
［Ｃ２６］
前記ＤＣＩフォーマットに少なくとも部分的に基づいて、ＤＬ制御チャネルを受信するための手段
をさらに備える、Ｃ２５に記載の装置。
［Ｃ２７］
前記ＤＣＩフォーマットに少なくとも部分的に基づいて、ＤＬ制御チャネルを送信するための手段
をさらに備える、Ｃ２５に記載の装置。
［Ｃ２８］
前記ＴＴＩバンドリングパラメータは、リソース割振り粒度レベルに対応し、ここにおいて、前記ＤＣＩフォーマットは、前記リソース割振り粒度レベルに少なくとも部分的に基づく、Ｃ２５に記載の装置。
［Ｃ２９］
前記ＴＴＩバンドリングパラメータは、変調およびコーディング方式（ＭＣＳ）情報フィールドに対応し、ここにおいて、前記ＤＣＩフォーマットは、前記ＭＣＳ情報フィールドに少なくとも部分的に基づく、Ｃ２５に記載の装置。
［Ｃ３０］
第１のＴＴＩバンドリング長を決定するための手段と、
前記第１のＴＴＩバンドリング長に基づいて、前記ＭＣＳ情報フィールドの第１の長さを決定するための手段と、
第２のＴＴＩバンドリング長を決定するための手段と、ここで、前記第２のＴＴＩバンドリング長は、前記第１のＴＴＩバンドリング長よりも大きい、
前記第２のＴＴＩバンドリング長に基づいて、前記ＭＣＳ情報フィールドの第２の長さを決定するための手段と、ここで、前記ＭＣＳ情報フィールドの前記第２の長さは、前記ＭＣＳ情報フィールドの前記第１の長さよりも小さい、
をさらに備える、Ｃ２９に記載の装置。
【手続補正書】
【提出日】令和2年10月15日(2020.10.15)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
前記ＵＥのためのカバレージ拡張（ＣＥ）レベルの指示を受信することと、
前記指示に少なくとも部分的に基づいて、複数のダウンリンク制御情報（ＤＣＩ）フォーマットのうちの1つのＤＣＩフォーマットを識別すること、前記複数のＤＣＩフォーマットは、
第1のＣＥレベルに対応する第１のＤＣＩフォーマット、ここにおいて、前記第１のＤＣＩフォーマットは、ＤＣＩを搬送するための第１の構成を示し、第１の長さを有する第１のリソース割振りフィールドを備える、と
前記第１のＤＣＩフォーマットと比較してＤＣＩを搬送するための異なる構成を示し、前記第１の長さとは異なる第２の長さを有する第２のリソース割振りフィールドを備える第２のＣＥレベルに対応する第２のＤＣＩフォーマット、と
第３のＣＥレベルに対応する第３のＤＣＩフォーマット、ここにおいて、前記第３のＣＥレベルは、カバレージ拡張の欠如を示し、ＤＣＩを搬送するための第３の構成を示し、第３の長さを有する第３のリソース割振りフィールドを備える、と
を備える、と、
ダウンリンク制御チャネル上で、前記識別されたＤＣＩフォーマットに従ってリソース割振りフィールドを備えるＤＣＩを受信することと
を備える、方法。
【請求項２】
前記ＣＥレベルは、リソース割振り粒度レベルに対応し、前記識別されたＤＣＩフォーマットは、前記リソース割振り粒度レベルに少なくとも部分的に基づく、請求項１に記載の方法。
【請求項３】
前記ＣＥレベルは、変調およびコーディング方式（ＭＣＳ）情報フィールドに対応し、前記識別されたＤＣＩフォーマットは、前記ＭＣＳ情報フィールドに少なくとも部分的に基づく、請求項１に記載の方法。
【請求項４】
第１の送信時間間隔（ＴＴＩ）バンドリング長を決定することと、
前記第１のＴＴＩバンドリング長に基づいて、前記第１のＤＣＩフォーマットの第１のＭＣＳ情報フィールドの第１の長さを決定することと、
第２のＴＴＩバンドリング長を決定すること、ここで、前記第２のＴＴＩバンドリング長は、前記第１のＴＴＩバンドリング長よりも大きい、と
前記第２のＴＴＩバンドリング長に基づいて、前記第２のＤＣＩフォーマットの第２のＭＣＳ情報フィールドの第２の長さを決定すること、ここで、前記第２のＭＣＳ情報フィールドの前記第２の長さは、前記第１のＭＣＳ情報フィールドの前記第１の長さよりも小さい、と
をさらに備える、請求項１に記載の方法。
【請求項５】
前記ＣＥレベルは、送信時間間隔（ＴＴＩ）バンドリングレベルを備える、請求項１に記載の方法。
【請求項６】
前記第１のＤＣＩフォーマット及び前記第１のＣＥレベルと前記第２のＤＣＩフォーマット及び前記第２のＣＥレベルとの間の対応関係を決定することをさらに備え、前記第１のＤＣＩフォーマットまたは前記第２のＤＣＩフォーマットのうちの１つは、前記対応関係に少なくとも部分的に基づいて識別される、請求項１に記載の方法。
【請求項７】
前記ＵＥにおいて、前記ＵＥのための前記ＣＥレベルの前記指示に少なくとも部分的に基づいて、前記第１のＣＥレベルを構成することをさらに備え、前記第１のＤＣＩフォーマットは、前記第１のＣＥレベルが前記ＵＥにおいて構成されることに少なくとも部分的に基づいて識別され、前記第１の長さの前記リソース割振りフィールドを備えるＤＣＩは、前記識別することに少なくとも部分的に基づいて、前記第１のＤＣＩフォーマットに従って受信される、請求項１に記載の方法。
【請求項８】
前記識別することは、
前記ＵＥのための前記ＣＥレベルの前記指示が前記第１のＣＥレベルを示すときに、前記第１のＤＣＩフォーマットを識別すること、ここにおいて、前記第１の長さの前記リソース割振りフィールドを備えるＤＣＩは、前記第１のＤＣＩフォーマットを識別することに少なくとも部分的に基づいて、前記第１のＤＣＩフォーマットに従って受信される、と、
前記ＵＥのための前記ＣＥレベルの前記指示が前記第２のＣＥレベルを示すときに、前記第２のＤＣＩフォーマットを識別すること、ここにおいて、前記第２の長さの前記リソース割振りフィールドを備えるＤＣＩは、前記第２のＤＣＩフォーマットを識別することに少なくとも部分的に基づいて、前記第２のＤＣＩフォーマットに従って受信される、と、
を備える、請求項１に記載の方法。
【請求項９】
前記第１のＣＥレベルは、第１のリソース割振り粒度レベルに対応し、前記第１のＤＣＩフォーマットの前記第１のリソース割振りフィールドは、前記第１のリソース割振り粒度レベルに少なくとも部分的に基づいて、第１のリソース割振りを示すための第１の数のビットを備え、
前記第２のＣＥレベルは、第２のリソース割振り粒度レベルに対応し、前記第２のＤＣＩフォーマットの前記第２のリソース割振りフィールドは、前記第２のリソース割振り粒度レベルに少なくとも部分的に基づいて、第２のリソース割振りを示すための、前記第１の数のビットより少ない第２の数のビットを備える、
請求項１に記載の方法。
【請求項１０】
ユーザ機器（ＵＥ）におけるワイヤレス通信のための装置であって、
プロセッサと、
前記プロセッサと結合しているメモリと、
前記メモリに記憶された命令とを備え、前記メモリは、
前記ＵＥのためのカバレージ拡張（ＣＥ）レベルの指示を受信することと、
前記指示に少なくとも部分的に基づいて、複数のダウンリンク制御情報（ＤＣＩ）フォーマットのうちの1つのＤＣＩフォーマットを識別すること、前記複数のＤＣＩフォーマットは、
第1のＣＥレベルに対応する第１のＤＣＩフォーマット、ここにおいて、前記第１のＤＣＩフォーマットは、ＤＣＩを搬送するための第１の構成を示し、第１の長さを有する第１のリソース割振りフィールドを備える、と
第２のＣＥレベルに対応する第２のＤＣＩフォーマット、ここにおいて、前記第２のＤＣＩフォーマットは、前記第１のＤＣＩフォーマットと比較してＤＣＩを搬送するための異なる構成を示し、前記第１の長さとは異なる第２の長さを有する第２のリソース割振りフィールドを備える、と
第３のＣＥレベルに対応する第３のＤＣＩフォーマット、ここにおいて、前記第３のＣＥレベルは、カバレージ拡張の欠如を示し、ここにおいて、前記第３のＤＣＩフォーマットは、ＤＣＩを搬送するための第３の構成を示し、第３の長さを有する第３のリソース割振りフィールドを備える、と
を備える、と、
ダウンリンク制御チャネル上で、前記識別されたＤＣＩフォーマットに従ってリソース割振りフィールドを備えるＤＣＩを受信することと
を行うように前記プロセッサによって実行可能である、装置。
【請求項１１】
前記ＣＥレベルは、リソース割振り粒度レベルに対応し、前記識別されたＤＣＩフォーマットは、前記リソース割振り粒度レベルに少なくとも部分的に基づく、請求項１０に記載の装置。
【請求項１２】
前記ＣＥレベルは、変調およびコーディング方式（ＭＣＳ）情報フィールドに対応し、前記識別されたＤＣＩフォーマットは、前記ＭＣＳ情報フィールドに少なくとも部分的に基づく、請求項１０に記載の装置。
【請求項１３】
前記命令は、
第１の送信時間間隔（ＴＴＩ）バンドリング長を決定することと、
前記第１のＴＴＩバンドリング長に基づいて、前記第１のＤＣＩフォーマットの第１のＭＣＳ情報フィールドの第１の長さを決定すること、と
第２のＴＴＩバンドリング長を決定すること、ここで、前記第２のＴＴＩバンドリング長は、前記第１のＴＴＩバンドリング長よりも大きい、と
前記第２のＴＴＩバンドリング長に基づいて、前記第２のＤＣＩフォーマットの第２のＭＣＳ情報フィールドの第２の長さを決定すること、ここで、前記第２のＭＣＳ情報フィールドの前記第２の長さは、前記第１のＭＣＳ情報フィールドの前記第１の長さよりも小さい、と
を行うように前記プロセッサによって実行可能である、請求項１０に記載の装置。
【請求項１４】
前記ＣＥレベルは、送信時間間隔（ＴＴＩ）バンドリングレベルを備える、請求項１０に記載の装置。
【請求項１５】
前記命令は、
前記第１のＤＣＩフォーマット及び前記第１のＣＥレベルと前記第２のＤＣＩフォーマット及び前記第２のＣＥレベルとの間の対応関係を決定するように前記プロセッサによって実行可能であり、前記第１のＤＣＩフォーマットまたは前記第２のＤＣＩフォーマットのうちの１つは、前記対応関係に少なくとも部分的に基づいて識別される、請求項１０に記載の装置。
【請求項１６】
前記第１のＤＣＩフォーマットまたは前記第２のＤＣＩフォーマットのうちの１つを識別するための前記命令は、
前記ＵＥのための前記ＣＥレベルの前記指示が前記第１のＣＥレベルを示すときに、前記第１のＤＣＩフォーマットを識別すること、ここにおいて、前記第１の長さの前記リソース割振りフィールドを備えるＤＣＩは、前記第１のＤＣＩフォーマットを識別することに少なくとも部分的に基づいて、前記第１のＤＣＩフォーマットに従って受信される、と、
前記ＵＥのための前記ＣＥレベルの前記指示が前記第２のＣＥレベルを示すときに、前記第２のＤＣＩフォーマットを識別すること、ここにおいて、前記第２の長さの前記リソース割振りフィールドを備えるＤＣＩは、前記第２のＤＣＩフォーマットを識別することに少なくとも部分的に基づいて、前記第２のＤＣＩフォーマットに従って受信される、と、
を行うように前記プロセッサによって実行可能である、請求項５に記載の装置。
【請求項１７】
前記第１のＣＥレベルは、第１のリソース割振り粒度レベルに対応し、前記第１のＤＣＩフォーマットの前記第１のリソース割振りフィールドは、前記第１のリソース割振り粒度レベルに少なくとも部分的に基づいて、第１のリソース割振りを示すための第１の数のビットを備え、
前記第２のＣＥレベルは、第２のリソース割振り粒度レベルに対応し、前記第２のＤＣＩフォーマットの前記第２のリソース割振りフィールドは、前記第２のリソース割振り粒度レベルに少なくとも部分的に基づいて、第２のリソース割振りを示すための、前記第１の数のビットより少ない第２の数のビットを備える、
請求項５に記載の装置。
【請求項１８】
ユーザ機器（ＵＥ）における装置であって、
前記ＵＥのためのカバレージ拡張（ＣＥ）レベルの指示を受信するための手段と、
前記指示に少なくとも部分的に基づいて、複数のダウンリンク制御情報（ＤＣＩ）フォーマットのうちの1つのＤＣＩフォーマットを識別するための手段、前記複数のＤＣＩフォーマットは、
第1のＣＥレベルに対応する第１のＤＣＩフォーマット、ここにおいて、前記第１のＤＣＩフォーマットは、ＤＣＩを搬送するための第１の構成を示し、第１の長さを有する第１のリソース割振りフィールドを備える、と
第２のＣＥレベルに対応する第２のＤＣＩフォーマット、ここにおいて、前記第２のＤＣＩフォーマットは、前記第１のＤＣＩフォーマットと比較してＤＣＩを搬送するための異なる構成を示し、前記第１の長さとは異なる第２の長さを有する第２のリソース割振りフィールドを備える、と
第３のＣＥレベルに対応する第３のＤＣＩフォーマット、ここにおいて、前記第３のＣＥレベルは、カバレージ拡張の欠如を示し、ここにおいて、前記第３のＤＣＩフォーマットは、ＤＣＩを搬送するための第３の構成を示し、第３の長さを有する第３のリソース割振りフィールドを備える、と
を備える、と、
ダウンリンク制御チャネル上で、前記識別されたＤＣＩフォーマットに従ってリソース割振りフィールドを備えるＤＣＩを受信するための手段と
を備える、装置。
【請求項１９】
前記ＣＥレベルは、リソース割振り粒度レベルに対応し、前記識別されたＤＣＩフォーマットは、前記リソース割振り粒度レベルに少なくとも部分的に基づく、請求項１８に記載の装置。
【請求項２０】
前記第１のＣＥレベルは、第１のリソース割振り粒度レベルに対応し、前記第１のＤＣＩフォーマットの前記リソース割振りフィールドは、前記第１のリソース割振り粒度レベルに少なくとも部分的に基づいて、第１のリソース割振りを示すための第１の数のビットを備え、
前記第２のＣＥレベルは、第２のリソース割振り粒度レベルに対応し、前記第２のＤＣＩフォーマットの前記リソース割振りフィールドは、前記第２のリソース割振り粒度レベルに少なくとも部分的に基づいて、第２のリソース割振りを示すための、前記第１の数のビットより少ない第２の数のビットを備える、
請求項１８に記載の装置。
【請求項２１】
前記ＣＥレベルは、変調およびコーディング方式（ＭＣＳ）情報フィールドに対応し、前記識別されたＤＣＩフォーマットは、前記ＭＣＳ情報フィールドに少なくとも部分的に基づく、請求項１８に記載の装置。
【請求項２２】
第１の送信時間間隔（ＴＴＩ）バンドリング長を決定するための手段と、
前記第１のＴＴＩバンドリング長に基づいて、前記第１のＤＣＩフォーマットの第１のＭＣＳ情報フィールドの第１の長さを決定するための手段と、
第２のＴＴＩバンドリング長を決定するための手段、ここで、前記第２のＴＴＩバンドリング長は、前記第１のＴＴＩバンドリング長よりも大きい、と
前記第２のＴＴＩバンドリング長に基づいて、前記第２のＤＣＩフォーマットの第２のＭＣＳ情報フィールドの第２の長さを決定するための手段、ここで、前記第２のＭＣＳ情報フィールドの前記第２の長さは、前記第１のＭＣＳ情報フィールドの前記第１の長さよりも小さい、と
をさらに備える、請求項１８に記載の装置。
【請求項２３】
識別するための前記手段は、
前記ＵＥのための前記ＣＥレベルの前記指示が前記第１のＣＥレベルを示すときに、前記第１のＤＣＩフォーマットを識別するための手段、ここにおいて、前記第１の長さの前記リソース割振りフィールドを備えるＤＣＩは、前記第１のＤＣＩフォーマットを識別することに少なくとも部分的に基づいて、前記第１のＤＣＩフォーマットに従って受信される、と、
前記ＵＥのための前記ＣＥレベルの前記指示が前記第２のＣＥレベルを示すときに、前記第２のＤＣＩフォーマットを識別するための手段、ここにおいて、前記第２の長さの前記リソース割振りフィールドを備えるＤＣＩは、前記第２のＤＣＩフォーマットを識別することに少なくとも部分的に基づいて、前記第２のＤＣＩフォーマットに従って受信される、と、
を備える、請求項１８に記載の装置。
【請求項２４】
ユーザ機器（ＵＥ）におけるワイヤレス通信のためのコンピュータ実行可能コードを記憶する非一時的コンピュータ可読媒体であって、前記コードは、
前記ＵＥのためのカバレージ拡張（ＣＥ）レベルの指示を受信することと、
前記指示に少なくとも部分的に基づいて、複数のダウンリンク制御情報（ＤＣＩ）フォーマットのうちの1つのＤＣＩフォーマットを識別すること、前記複数のＤＣＩフォーマットは、
第1のＣＥレベルに対応する第１のＤＣＩフォーマット、ここにおいて、前記第１のＤＣＩフォーマットは、ＤＣＩを搬送するための第１の構成を示し、第１の長さを有する第１のリソース割振りフィールドを備える、と
第２のＣＥレベルに対応する第２のＤＣＩフォーマット、ここにおいて、前記第２のＤＣＩフォーマットは、前記第１のＤＣＩフォーマットと比較してＤＣＩを搬送するための異なる構成を示し、前記第１の長さとは異なる第２の長さを有する第２のリソース割振りフィールドを備える、と
第３のＣＥレベルに対応する第３のＤＣＩフォーマット、ここにおいて、前記第３のＣＥレベルは、カバレージ拡張の欠如を示し、ここにおいて、前記第３のＤＣＩフォーマットは、ＤＣＩを搬送するための第３の構成を示し、第３の長さを有する第３のリソース割振りフィールドを備える、と
を備える、と、
ダウンリンク制御チャネル上で、前記識別されたＤＣＩフォーマットに従ってリソース割振りフィールドを備えるＤＣＩを受信することと
を行うようにプロセッサによって実行可能である、非一時的コンピュータ可読媒体。
【請求項２５】
前記ＣＥレベルは、リソース割振り粒度レベルに対応し、前記識別されたＤＣＩフォーマットは、前記リソース割振り粒度レベルに少なくとも部分的に基づく、請求項２４に記載の非一時的コンピュータ可読媒体。
【請求項２６】
前記第１のＣＥレベルは、第１のリソース割振り粒度レベルに対応し、前記第１のＤＣＩフォーマットの前記リソース割振りフィールドは、前記第１のリソース割振り粒度レベルに少なくとも部分的に基づいて、第１のリソース割振りを示すための第１の数のビットを備え、
前記第２のＣＥレベルは、第２のリソース割振り粒度レベルに対応し、前記第２のＤＣＩフォーマットの前記リソース割振りフィールドは、前記第２のリソース割振り粒度レベルに少なくとも部分的に基づいて、第２のリソース割振りを示すための、前記第１の数のビットより少ない第２の数のビットを備える、
請求項２４に記載の非一時的コンピュータ可読媒体。
【請求項２７】
前記ＣＥレベルは、変調およびコーディング方式（ＭＣＳ）情報フィールドに対応し、前記識別されたＤＣＩフォーマットは、前記ＭＣＳ情報フィールドに少なくとも部分的に基づく、請求項２４に記載の非一時的コンピュータ可読媒体。
【請求項２８】
前記コードは、
第１の送信時間間隔（ＴＴＩ）バンドリング長を決定することと、
前記第１のＴＴＩバンドリング長に基づいて、前記第１のＤＣＩフォーマットの第１のＭＣＳ情報フィールドの第１の長さを決定することと、
第２のＴＴＩバンドリング長を決定すること、ここで、前記第２のＴＴＩバンドリング長は、前記第１のＴＴＩバンドリング長よりも大きい、と
前記第２のＴＴＩバンドリング長に基づいて、前記第２のＤＣＩフォーマットの第２のＭＣＳ情報フィールドの第２の長さを決定すること、ここで、前記第２のＭＣＳ情報フィールドの前記第２の長さは、前記第１のＭＣＳ情報フィールドの前記第１の長さよりも小さい、と
を行うように前記プロセッサによって実行可能である、請求項２４に記載の非一時的コンピュータ可読媒体。
【外国語明細書】
2020195156000001.pdf